(57)【要約】  カバー類や基礎構造を含む構造物の中に設置できるアンテナ組立であって、当該アンテナ組立が基礎構造とカバー類の間に設置することができるような厚さにするために、このアンテナ組立は薄いフィルム状の材料で構成されている。  アンテナ組立の厚さは15mmを超えず、少なくとも1つの送信機用のアンテナ、  送受信機用のアンテナ、および受信機用のアンテナを含む。  受信機用のアンテナは、空芯タイプのアンテナまたは非空芯タイプのアンテナとして構成することができる。  受信機用のアンテナは、ベース絶縁層の上またはその中に設けられた内部空間の中に置かれた非空芯タイプのアンテナとして構成するようにしても良い。  アンテナ組立とハウジング組立の両方が基礎構造とカバー類の間に設置することができるようにするために、アンテナ組立は、薄いフィルム状の材料からできたハウジング組立の中に、少なくとも部分的に、収納されている。【選択図】図1C, 1C’
2010500820.tif 000002
【特許請求の範囲】
【請求項１】
構造物の中に設置可能なアンテナ組立であって、当該構造物は、カバー類と基礎構造からなり、当該アンテナ組立は当該カバー類と基礎構造の間に設置することができるような厚さとするために、当該アンテナ組立を薄いフィルム状の材料で構成していることを特徴とするアンテナ組立。
【請求項２】
請求項1に記載のアンテナ組立であって、当該アンテナ組立が少なくとも一つの(a)送信機用のアンテナと、(b)送受信機用のアンテナと、(c)受信機用のアンテナとを備え、当該受信機用のアンテナが、空芯タイプのアンテナと非空芯タイプのアンテナの内の一つとして構成されていることを特徴とするアンテナ組立。
【請求項３】
請求項2に記載のアンテナ組立であって、当該アンテナ組立がベース絶縁層を備え、前記送信機用のアンテナ、送受信機用のアンテナ、受信機用のアンテナの内の少なくとも一つが当該ベース絶縁層の上に、少なくとも部分的に、配置されていることを特徴とするアンテナ組立。
【請求項４】
請求項3に記載のアンテナ組立であって、前記ベース絶縁層が共通する平坦な表面を備え、前記送信機用のアンテナ、送受信機用のアンテナ、受信機用のアンテナの内の少なくとも一つが当該共通する平坦な表面の上に、少なくとも部分的に、配置されていることを特徴とするアンテナ組立。
【請求項５】
請求項4に記載のアンテナ組立であって、前記受信機アンテナが非空芯タイプのアンテナとして構成されており、前記受信機アンテナが(a)前記ベース絶縁層の共通する平坦な表面の上、(b) 前記ベース絶縁層の中、に設けられた内部空間の中に配置されていることを特徴とするアンテナ組立。
【請求項６】
請求項3に記載のアンテナ組立であって、前記アンテナ組立が更に被覆絶縁層を備え、当該被覆絶縁層は、少なくとも部分的に、前記送信機用のアンテナ、送受信機用のアンテナ、受信機用のアンテナの内の少なくとも一つの上に配置されていることを特徴とするアンテナ組立。
【請求項７】
請求項3に記載のアンテナ組立であって、前記アンテナ組立が更に支持絶縁層を備え、前記ベース絶縁層が、少なくとも部分的に、支持絶縁層の上に配置されていることを特徴とするアンテナ組立。
【請求項８】
請求項7に記載のアンテナ組立であって、前記ベース絶縁層と前記支持絶縁層の間に、少なくとも部分的に配置された充填絶縁層を、更に備えることを特徴とするアンテナ組立。
【請求項９】
請求項2に記載のアンテナ組立であって、前記送信機用のアンテナ、送受信機用のアンテナ、受信機用のアンテナの内の少なくとも一つが、
それぞれ所定の板厚を持ったコンダクター層の開始端部分とコンダクター層の終端部分を有する少なくとも一つのアンテナ軌跡コンダクターを備え、
アンテナ組立の端部横断領域を形成するために、コンダクター層の終端部分がコンダクター層の開始端部分の上または下を横断しており、
当該端部横断領域には、アンテナ軌跡コンダクターとアンテナ組立のベース絶縁層が備えられ、当該ベース絶縁層は所定の板厚を持ち、当該コンダクター層の開始端部分とコンダクター層の終端部分の間に配置されていることを特徴とするアンテナ組立。
【請求項１０】
請求項6に記載のアンテナ組立であって、前記アンテナ組立が、少なくとも部分的にハウジング組立の中に収納されており、アンテナ組立とハウジング組立の両方を基礎構造とカバー類の間に配置することができるように、当該ハウジング組立を薄いフィルム状の材料で構成するようにしたことを特徴とするアンテナ組立。
【請求項１１】
請求項10に記載のアンテナ組立であって、前記ハウジング組立は、被覆絶縁層、ベース絶縁層、およびアンテナ組立の外周に沿って配置された外壁とを備え、これらによって、当該ハウジング組立は、少なくとも部分的にアンテナ組立を収納していることを特徴とするアンテナ組立。
【請求項１２】
請求項11に記載のアンテナ組立であって、前記ハウジング組立は、アンテナ組立の内周に沿って配置された内壁を更に備え、前記被覆絶縁層、前記ベース絶縁層、前記外壁、および当該内壁によって、当該ハウジング組立は、少なくとも部分的にアンテナ組立を収納していることを特徴とするアンテナ組立。
【請求項１３】
請求項10に記載のアンテナ組立であって、前記ハウジング組立は、前記アンテナ組立を気密シールするようにして構成されていることを特徴とするアンテナ組立。
【請求項１４】
請求項8に記載のアンテナ組立であって、前記アンテナ組立は、少なくとも部分的にハウジング組立の中に収納されており、アンテナ組立とハウジング組立の両方を基礎構造とカバー類の間に配置することができるように、当該ハウジング組立を薄いフィルム状の材料で構成するようにしたことを特徴とするアンテナ組立。
【請求項１５】
請求項14に記載のアンテナ組立であって、前記ハウジング組立は、被覆絶縁層、ベース絶縁層、充填絶縁層、支持絶縁層、およびアンテナ組立の外周に配置された外壁とを備え、これらによって、当該ハウジング組立は、少なくとも部分的にアンテナ組立を収納していることを特徴とするアンテナ組立。
【請求項１６】
請求項15に記載のアンテナ組立であって、前記ハウジング組立は、アンテナ組立の内周に沿って配置された内壁を更に備え、前記被覆絶縁層、前記ベース絶縁層、前記充填絶縁層、前記支持絶縁層、前記外壁、および当該内壁によって、当該ハウジング組立は、少なくとも部分的にアンテナ組立を収納していることを特徴とするアンテナ組立。
【請求項１７】
請求項14に記載のアンテナ組立であって、前記ハウジング組立は、前記アンテナ組立を気密シールするようにして構成されていることを特徴とするアンテナ組立。
【請求項１８】
請求項5に記載のアンテナ組立であって、非空芯タイプのアンテナとして構成された受信機用のアンテナは、ベース絶縁層の中に設けられた内部空間の中に配置され、当該ベース絶縁層は、所定の板厚を持ち、
所定の板厚を持つ第一の補助絶縁層と、
所定の板厚を持つ第二の補助絶縁層と、
これらの補助絶縁層に挟まれた中間の補助絶縁層とを備え、
当該中間の補助絶縁層は、当該第一の補助絶縁層と当該第二の補助絶縁層によって画定される内部空間を備えていることを特徴とするアンテナ組立。
【請求項１９】
請求項2に記載のアンテナ組立であって、非空芯タイプのアンテナとして構成された受信機用のアンテナが、薄いフィルム状の構造物の中に形成された少なくとも一つのバー状の磁性材料の周りに、少なくとも部分的に巻きつけられたワイヤループを備えていることを特徴とするアンテナ組立。
【請求項２０】
請求項1に記載のアンテナ組立であって、前記アンテナ組立が15mmを超えない全厚を有していることを特徴とするアンテナ組立。
【発明の詳細な説明】
【技術分野】
【０００１】
本発明は、薄いフィルム及び／又は薄いフィルム状の材料からできた電子物品監視（ＥＡＳ）又は無線周波数識別（ＲＦＩＤ）用のアンテナ組立に関係する。
【背景技術】
【０００２】
電子物品監視（ＥＡＳ）システムでは、通常小売店舗の出口に設けられた問合せ領域の中で電磁場を作り出すようになっている。  この電磁場は、問合せ領域の中にＥＡＳマーカーが存在することを知らしめる警報信号をＥＡＳシステムへ返すために、マーカーを励起するようになっている。  ＥＡＳシステムの送信アンテナが問合せ領域の中で電磁場を作り出している間に、タグ付けされた商品が小売施設から無許可で持ち出されるのを防止するためにＥＡＳマーカーは商品上に設置される。  EASシステムの受信アンテナは、EASマーカーから返信される信号を検出するために使用されるものである。  EASシステムの送受信アンテナは、送信機能と受信機能の両機能を果たすものである。  EASアンテナを適切に設計し、適切な構成とすることにより、EASマーカーを適切に励起することができる十分な強度の電磁場を作り出すことができ、さらに、小売店舗内の電磁ノイズ環境下において、EASシステムアンテナによって受信された返信信号を検出することができるように、適切な受信感度を得ることができる。  
・  適切に設計されたEASシステムアンテナは以下のような特性を持った電磁場を作り出すことができる。
【０００３】
・  EASマーカーを励起するために十分な強度の電磁場で、問合せ領域全体をカバーすること。
【０００４】
・  問合せ領域における空間的位置の全てにおいて十分な強度の電磁場を有すること。
【０００５】
・  問合せ領域の外に置かれたタグづけされた商品によってEASシステムが警報を発してしまうような強い強度の電磁場を問合せ領域を外れた領域にまで及ぼさないこと。
【０００６】
・  電磁場放射に関する法的な要求事項に適合すること。
【０００７】
更に、小売業者が販売のための商品を展示する場所の中に問合せ領域を配置することが多いため、そのEASシステムを設置することが小売業者の審美的な要求に適合するようにするために、典型的なEASアンテナシステムは、隠された状態にするか、あるいは小さくてスリム化されたものである必要がある。
【０００８】
更に、送信機とアンテナが種々の法的な要求事項や安全管理にかかる監督機関の要求事項に適合するように、EASシステムを設計することが求められている。  
従来のEASシステムは、入り口の対向する両側に置かれた台座上に配置されたアンテナに依存したシステムとなっていた。  このアンテナは開口部を横断するように電磁場を放出するようになっている。  しかし、アンテナのサイズによる制限、電磁場強度に関する法的な制限や安全管理上の制限などのために、どれだけの広さの開口部をEASシステムによってカバーすべきかという点について、実際上の制約が存在していた。  
その結果、上述したような要求事項を満足させるという課題が存在したため、モールの入口や出口などのような非常に大きな開口部をカバーするような問合せ領域を台座を使用して構築するということは、往々にして実用的ではなかった。
【０００９】
モールの入口や出口などのような広い領域を適切にカバーするようにするために、数台のワイヤループアンテナの配列を床下のコンクリートの中に埋設していた。  かかるワイヤループアンテナはEASマーカーからの返送信号を検出するために、受信機として設計されると共に、床の上の領域に電磁場を放射するようになっていた。  一般的には、このようなタイプのアンテナは、床上約1.2m程度までの問合せ領域をカバーできる能力を有していた。  このようなアンテナは、いろいろな広さを有する開口部をカバーするために拡張できるようにモジュール化が可能であるという利点を有していた。  このようにシステムの一つとして、商標名「Floormax」としてセンサーマチック・エレクトロニクス(Boca Raton, Florida, USA) から市販されている。  
この製品は以下のような特徴を有している。
【００１０】
・アンテナコイルは床の中に取り付けられており、アンテナの設置のために下地床の掘り込みが必要であること。
【００１１】
・アンテナを設置した後、アンテナの上および周りにコンクリートを注入してアンテナを包み込んでしまい、再度掘り込みを行わない限り、アンテナにアクセスできないようにしていること。
【００１２】
金属が存在しない場所で設置する場合には、アンテナは掘り込みを行うことなく、下地床の上に配置することもできる。  しかし、アンテナコイルには厚みがあるため、アンテナを下地床の上に配置するときには、そのアンテナをカバーするために緩いスロープを設けて下地床の上面に追加のコンクリートの層を設けてやることが必要になる。  この緩いスロープの領域は、アンテナの側方全体にわたって数フィートに及ぶことがある。  このようなコンクリートの処理は往々にして高価なものとなり、あるケースでは現実的ではない場合もある。
【００１３】
米国特許出願公開番号No. US2004/0135690 A1 発明の名称「広い間口を有する電子物品監視用アンテナシステム」(Copeland他)2004年7月15日発行、および米国特許出願公開番号No. US2004/0217866 A1 発明の名称「広い間口を有する電子物品監視用アンテナシステム」(Copeland他)2004年11月4日発行の両者は、ここで引用することにより全てが本明細書に取り込まれるものとする。  これらには、広い間口または入り口をカバーするいくつかの異なったシステムが記載されており、以下に説明するアンテナの種々の組合せを利用したものが記載されている。
【００１４】
・  頭上/天井に配置されたフェライト磁心送受信機あるいは送信機用アンテナ
・  側方/壁に配置されたフェライト磁心送受信機あるいは送信機用アンテナ
・  頭上/天井に配置されたワイヤループ送受信機あるいは送信機用アンテナ
・  側方/壁に配置されたワイヤループ送受信機あるいは送信機用アンテナ
・  問合せ領域の全外周を取り囲んで配置したペリメータ・ワイヤループ送受信機または送信機用アンテナ
・  側方/壁に配置された磁心受信機用アンテナ
・  頭上/天井に配置された磁心受信機用アンテナ
・  下地床に設けた溝に設置するように設計されたアンテナであって、床に配置された磁心受信機用アンテナ
・  下地床に設けた小さな溝に設置するように設計されたアンテナであって、床に配置されたループ受信機用アンテナ
しかし、床に配置された受信機を使用するシステムの場合、ワイヤループや磁心受信機アンテナを引き回すために下地床に溝を掘り込むことが必要になる。  このことは、小売業者にとって高価であったり不都合であったりするために、往々にして望ましいものとはいえなかった。
【００１５】
別の試みとして、問合せ領域をカバーするために、頭上/天井あるいは側方/壁に追加して配置された磁心受信機用アンテナと一緒にペリメータ・ワイヤループ送受信機または送信機用アンテナを使用したシステムが開示されている。    この試みは、3mまでの高さと約5mの幅を持つ開口部に適用し、成功している。  前にも述べたように、このシステムでは、ワイヤループアンテナを設置するために、望ましくないことであるが、床に溝を掘り込む必要がある。
【００１６】
結果として、これまでに知られている方法では、アンテナを設置するために、下地床に掘り込みを設けたり、溝を掘り込んだりすることが必要であった。
【発明の概要】
【００１７】
発明が解決しようとする課題
本発明は、下地床を掘り込んだり、下地床の構造を変更したりすること無しに、フローリングの下に設置することができる程度に十分薄い送信機アンテナ、受信機、あるいは送信機として使用することができる非常に薄いアンテナ構造を提供するものである。
【課題を解決するための手段】
【００１８】
特に、本発明は電子物品監視(EAS)及び/又は無線周波数識別(RFID)ネットワークに特に適したアンテナ組立に関するものである。  一つの実施例では、このアンテナ組立は、カバーと補助構造からなる構造物の中に設置することができるものであり、カバーと補助構造の間に設置できるような程度の全厚さを有するようにするために、薄いフィルム状の材料で構成されている。  このアンテナ組立の全厚さは15mmを超えない。
【００１９】
このアンテナ組立は、空芯アンテナ及び非空芯アンテナの一つとして構成された受信アンテナと一緒に、(a)送信機アンテナ、(b)送受信機アンテナ、(c)受信機アンテナの内の少なくとも一つを含んでいる。  このアンテナ組立はベース絶縁層を含み、送信機アンテナ、送受信機アンテナ、および受信機アンテナの内の少なくとも一つのアンテナであって、少なくともそのアンテナの一部が当該ベース絶縁層の上に配置されている。  このベース絶縁層は共通する平坦な表面を有し、送信機アンテナ、送受信機アンテナ、および受信機アンテナの内の少なくとも一つのアンテナであって、少なくともそのアンテナの一部が当該ベース絶縁層の共通する平坦な表面上に配置されている。
【００２０】
受信機アンテナは、非空芯受信機アンテナとして構成することができ、ベース絶縁層の共通する平坦な表面の上の内部空間、あるいはベース絶縁層の中に配置されている。  このアンテナ組立は、更に周囲を囲う絶縁層を備えるようにしても良い。  この周囲を囲う絶縁層は、送信機アンテナ、送受信機アンテナ、および受信機アンテナの内の少なくとも一つのアンテナの上に部分的に配置するようにしても良い。  このアンテナ組立は、更に支持絶縁層を備えるようにしても良く、この支持絶縁層は、支持絶縁層の上に少なくとも部分的に配置されたベース絶縁層と一緒に使用するようにしても良い。  フィラー絶縁層を支持絶縁層とベース絶縁層の間に少なくとも部分的に配置するようにしても良い。
【００２１】
一つの実施例では、送信機アンテナ、及び/又は送受信機アンテナ、及び/又は受信機アンテナは、コンダクター層の開始端部分およびコンダクター層の終端部分を有する少なくとも一つのアンテナ軌跡コンダクターを備えるようにしても良い。  このコンダクター層の開始端部分およびコンダクター層の終端部分の各々は所定の板厚を有し、コンダクター層の終端部分は、アンテナ組立の重なり合った終端部分を形成するために、コンダクター層の開始端部分の上と下のいずれかを横切るようになっている。  そして、アンテナ組立のこの重なり合った終端部分は、アンテナ軌跡コンダクターと所定の板厚を有し、コンダクター層の開始端部分およびコンダクター層の終端部分の間に配置されたアンテナ組立のベース絶縁層を有している。
【００２２】
一つの実施例では、アンテナ組立の少なくとも一部は、ハウジング組立の中に収納されており、このハウジング組立は、ハウジング組立とアンテナ組立の両者が基材とカバーの間に配置することができるように薄いフィルム状の材料によって構成されている。  このハウジング組立は、少なくともアンテナ組立を部分的に収納することができるように、周囲を囲う絶縁層、ベース絶縁層およびアンテナ組立の外周に沿った外壁を備えている。  このハウジング組立は、少なくともアンテナ組立を部分的に収納することができるように、更に、アンテナ組立の内周に沿った内壁を備えるようにしても良い。  このハウジング組立は、アンテナ組立を密閉シールできるように構成しても良い。  アンテナ組立をハウジング組立内に少なくとも部分的に収納するときに、ハウジング組立とアンテナ組立の両者が基材とカバーの間に配置することができるように、ハウジング組立を薄いフィルム状の材料によって構成されている。
【００２３】
一つの実施例では、受信機アンテナが、非空芯受信機アンテナとして構成されている場合であって、受信機アンテナが、ベース絶縁層の中の内部空間の中に配置されている場合、このベース絶縁層は、所定の板厚を有する第一の補助と、所定の板厚を有する第二の補助層と、それらの間に配置された所定の板厚を有するベース補助層から構成され、所定の板厚を有する。  そしてこのベース補助層には第一の補助と、第二の補助層とによって画成された内部空間が備えられている。  非空芯受信機アンテナとして構成されている受信機アンテナは、薄いフィルム状の構造物の中に形成された少なくとも一つのバー状の磁性材料の周りに、少なくとも部分的に巻きつけられたワイヤループを備えている。
【図面の簡単な説明】
【００２４】
実施例によって示す主題は、本明細書の結論部分において特記されており、また請求項としても記載されている。  しかし、実施例の目的、特徴、および利点と共に、その構成や運用方法については、以下に示す図を参照しつつ以下の詳細な説明を読むことによって更に良く理解できる。
【図１】図1は、薄いフィルム状の構造物を使用した単一の空芯タイプの送信機用のループアンテナあるいは送受信機組立の平面図を示したものであり、併せて本発明にかかる送信機又は送受信機組立を収納したハウジング組立を部分的に示したものである。
【図１Ａ】図1Aは、送信機または送受信機組立の部分詳細の平面図を示したものであり、併せて図1のハウジング組立についても部分的に示したものである。
【図１Ｂ】図1Bは、図1Aの1B-1Bで示す線分に沿った断面での送信機または送受信機組立の部分詳細の立断面図を示したものであり、併せてハウジング組立についても示している。  そしてこれらは床の中に埋設された状態にある。  図1B’は、図1Aの1B’-1B’で示す線分に沿った断面での送信機または送受信機組立の部分詳細の立断面図を示したものであり、併せてハウジング組立のバリエーションについても示している。  そしてこれらは床の中に埋設された状態にある。
【図１Ｃ】図1Cは、図1の1C-1Cで示す線分に沿った断面でのハウジング組立と送信機または送受信機組立の立断面図を示したものであり、これらは床の中に埋設された状態にある。  図1C’は、図1の1C’-1C’で示す線分に沿った断面でのハウジング組立のバリエーションと送信機または送受信機組立の立断面図を示したものであり、これらは床の中に埋設された状態にある。
【図２】図2は、薄いフィルム状の構造物を使用した単一の空芯タイプの送信機用のループアンテナあるいは送受信機組立の別の実施例についての平面図を示したものであり、併せて本発明にかかる送信機又は送受信機組立を収納したハウジング組立を部分的に示したものである。
【図２Ａ】図2Aは、送信機または送受信機組立の部分詳細の平面図を示したものであり、併せて図2のハウジング組立についても部分的に示したものである。
【図２Ｂ】図2Bは、図2Aの2B-2Bで示す線分に沿った断面での送信機または送受信機組立の部分詳細の立断面図を示したものであり、併せてハウジング組立についても示している。  そしてこれらは床の中に埋設された状態にある。  図2B’は、図2Aの2B’-2B’で示す線分に沿った断面での送信機または送受信機組立の部分詳細の立断面図を示したものであり、併せてハウジング組立のバリエーションについても示している。  そしてこれらは床の中に埋設された状態にある。
【図２Ｃ】図2Cは、図2の2C-2Cで示す線分に沿った断面でのハウジング組立と送信機または送受信機組立の立断面図を示したものであり、これらは床の中に埋設された状態にある。  図2C’は、図2の2C’-2C’で示す線分に沿った断面でのハウジング組立のバリエーションと送信機または送受信機組立の立断面図を示したものであり、これらは床の中に埋設された状態にある。
【図３】図3は、薄いフィルム状の構造物を使用した分離タイプの空芯タイプの送信機用のループアンテナおよび受信機用のアンテナ組立の一つの実施例について示したものであり、併せて本発明にかかるアンテナ組立を収納したハウジング組立を部分的に示したものである。
【図３Ａ】図3Aは、分離タイプの送信機および受信機用のアンテナ組立の部分詳細の平面図を示したものであり、併せて図3のハウジング組立についても部分的に示したものである。
【図３Ｂ】図3Bは、図3Aの3B-3Bで示す線分に沿った断面での図3および3Aに示すアンテナ組立とハウジング組立の部分詳細の立断面図を示したものである。  図3B’は、図3Aの3B’-3B’で示す線分に沿った断面での図3および3Aに示すアンテナ組立とハウジング組立の部分詳細の立断面図を示したものである。  そしてこれらは床の中に埋設された状態にある。
【図３Ｃ】図3Cは、図3Aの3C-3Cで示す線分に沿った断面での図3および3Aに示すハウジング組立とアンテナ組立の部分詳細の立断面図を示したものであり、これらは床の中に埋設された状態にある。  図3C’は、図3Aの3C’-3C’で示す線分に沿った断面での図3および3Aに示すハウジング組立とアンテナ組立の立断面図を示したものであり、これらは床の中に埋設された状態にある。
【図３Ｄ】図3Dは、図3の3D-3Dで示す線分に沿った断面でのハウジング組立とアンテナ組立の立断面図を示したものであり、これらは床の中に埋設された状態にある。  図3D’は、図3の3D’-3D’で示す線分に沿った断面でのハウジング組立のバリエーションとアンテナ組立の立断面図を示したものである。
【図４】図4は、単一巻きの送信機と複数巻きの受信機用の空芯アンテナ組立の一つの実施例を示したものであり、併せて本発明にかかるアンテナ組立を収納したハウジング組立の部分についても示したものである。
【図４Ａ】図4Aは、図4の4A-4Aで示す線分に沿った断面でのハウジング組立とアンテナ組立の立断面図を示したものである。
【図５】図5は、複数巻きの送信機と複数巻きの受信機用の空芯アンテナ組立の一つの実施例を示したものであり、併せて本発明にかかるアンテナ組立を収納したハウジング組立の部分についても示したものである。
【図５Ａ】図5Aは、図5の5A-5Aで示す線分に沿った断面でのハウジング組立とアンテナ組立の立断面図を示したものである。
【図６】図6は、複数巻きの送受信機用の空芯アンテナ組立の一つの実施例を示したものであり、併せて本発明にかかるアンテナ組立を収納したハウジング組立の部分についても示したものである。
【図６Ａ】図6Aは、図6の6A-6Aで示す線分に沿った断面でのハウジング組立とアンテナ組立の立断面図を示したものである。
【図７】図7は、非空芯の受信機用アンテナ組立のために設けられた内部空間を備えた送信機用アンテナ組立からなる別のアンテナ組立のための薄いフィルムコンダクターの平面図を示したものである。  併せて本発明にかかるハウジング組立の部分についても示したものである。
【図７Ａ】図7Aは、図7の7A-7Aで示す線分に沿った断面でのハウジング組立と図7に示すアンテナ組立の立断面図を示したものであり、これらは床の中に埋設された状態にある。
【図７Ｂ】図7Bは、図7の7B-7Bで示す線分に沿った断面でのハウジング組立のバリエーションと図7に示すアンテナ組立の立断面図を示したものであり、これらは床の中に埋設された状態にある。
【図７Ｃ】図7Cは、図7の7C-7Cで示す線分に沿った断面でのハウジング組立の別の実施例と図7に示すアンテナ組立の立断面図を示したものであり、これらは床の中に埋設された状態にある。
【図７Ｄ】図7Dは、図7Cで示すハウジング組立とアンテナ組立の拡大図を示したものである。
【図７Ｅ】図7Eは、図7Cで示すハウジング組立とアンテナ組立の別の部分の拡大図を示したものである。
【図８】図8は、非空芯の受信機用アンテナ組立のために設けられた内部空間をそれぞれ備えた一対の送信機用アンテナ組立からなる別のアンテナ組立のための薄いフィルムコンダクターの平面図を示したものである。  併せて本発明にかかるハウジング組立の部分についても示したものである。
【図８Ａ】図7Aは、図8の8A-8Aで示す線分に沿った断面でのハウジング組立と図8に示すアンテナ組立の立断面図を示したものであり、これらは床の中に埋設された状態にある。
【発明を実施するための形態】
【００２５】
本発明の実施例をよく理解するために、以下に詳細な説明を行う。  しかしながら、当業者であれば、ここで述べる詳細な説明がなくとも、本発明にかかる種々の実施例について実際に実行できるであろうことは理解しておかなければならない。  また、本発明の種々の実施例を分かり易くするために、周知な方法、手順、コンポーネント、および回路等の説明は省略している。  ここで開示する特定の構造および特定の機能の詳細は代表的なものを示すものであって、本発明の範囲を限定するものではないことを理解すべきである。
【００２６】
本明細書において、本発明に関連して「一つの実施例」や「ある実施例」と呼ぶ場合は、実施例に関連して説明された特定の技術的特徴、構造、あるいは特性が少なくともひとつの実施例に含まれていることを意味するものである。  この明細書において、「一つの実施例において」という表現がたびたび使われているが、これは必ずしも同じ実施例のことを言及しているものではい。  
ある実施例においては、「結合された」、「接続された」という用語が、これらから派生した用語と一緒に使用して説明されている。  例えば、ある実施例においては、二つ以上の要素が互いに、かつ直接的に、物理的に接触あるいは電気的に接触している状態を表すために、「接続された」という用語を使って説明している。  別の例として、ある実施例においては、二つ以上の要素が、直接的に、物理的に接触あるいは電気的に接触している状態を表すために、「結合された」という用語を使って説明している。  しかし、「結合された」という用語は、二つ以上の要素が、互いに直接接触していない状態をも意味するものであり、協働したり、相互に作用し合うことをも意味するものである。  この点において、実施例は限定されているものではない。
【００２７】
本発明は、送信機、受信機、あるいは送受信機として使用することができる非常に薄いアンテナ構造に係るものである。  そして、これらの送信機、受信機、あるいは送受信機は、下地床の構造を掘り込んだり、改造したりすることなくフローリングの下に設置できる程度の薄さのものである。  単一または複数ループの送信機あるいは送受信機用ループアンテナ、単一または複数ループの受信機用ループアンテナ、および分離タイプの送信機および送受信機用ループアンテナを構成するアンテナ組立の種々の実施例が示されている。  
本発明の特定の実施例について説明する。  図1、図1A、図1B、図1Cは、本発明に係るEASまたはRFIDシステム用として使用することができる、薄いフィルム状の構造物を使用した単一ループの送信機あるいは送受信機組立の実施例を示したものである。  特に、図1は、薄いフィルム状の構造物を使用した単一ループの送信機あるいは送受信機組立100aの平面図を示したものである。  説明を簡単にするために、図1では、送信機あるいは送受信機組立100aを収納するハウジング組立1100を部分的に示している。  図1Aは、図1の送信機あるいは送受信機組立100aの部分詳細の平面図を示したものであり、併せてハウジング組立1100についても部分的に示してある。   図1Bは、図1Aの1B-1Bで示す線分に沿った断面での送信機または送受信機組立100aの部分詳細の立断面図を示したものであり、併せてハウジング組立1100についても示している。    図1Cは、図1の1C-1Cで示す線分に沿った断面でのハウジング組立1100と送信機または送受信機組立100aの立断面図を示したものである。 以下に詳細に説明するように、ハウジング組立1100は外壁1110と内壁1120を備えている。
【００２８】
アンテナ組立100aは、アンテナ組立のベース基材またはベース絶縁層160の共通する平坦な表面165上に少なくとも部分的に配置されているアンテナ101を備えている。  アンテナ101は、コンダクター層の開始端部分104とコンダクター層の終端部分106を有するアンテナ軌跡コンダクター102を備えている。  アンテナ軌跡コンダクター102は、図1と図1Aに示されているように、角形の螺旋形を形成するようにしてもよい。  しかし、正方形、円、楕円、その他の形状を使った構成にすることもできる。  実施例としては、ここで述べたものに限定されるものではない。  コンダクター層の開始端部分104は角形の螺旋形の一端を形成し、コンダクター層の終端部分106は角形の螺旋形の他端を形成するようになっている。  
図1に示すように、アンテナ軌跡コンダクター102はコンダクター層の開始端部分104を備えた第一の角部領域108を出発点として、第二、第三、および第四の角部領域110、112、114の順に内側に向かって螺旋状に進み、第一のループ116を形成する。  第一の角部領域108を出発点として、アンテナ軌跡コンダクター102は第一のループ116に平行に第二のループ118を形成するために、第二、第三、および第四の角部領域110、112、114の順に内側に向かって螺旋状に進む。  同様に、第一の角部領域108を出発点として、アンテナ軌跡コンダクター102は第一のループ116に平行に第三のループ120を形成するために、第二、第三、および第四の角部領域110、112、114の順に内側に向かって螺旋状に進む。 当業者であれば、アンテナ101を形成するためにループ116から120を多くしたり、少なくしたりすることができることは容易に理解できる事項である。  そして、ここで示した3つのループ116, 118, 120は単に例示として示したものに過ぎない。 従って、アンテナ101は3つのループ116, 118, 120のような複数のループを備えた構成となっている。  実施例としては、このような構成に限定されるものではない。  3つのループ116, 118, 120は内側に向かって螺旋を形成するとして説明してきたが、内側に向かって螺旋を形成するのとは逆に外側に向かって螺旋を形成するようにして、アンテナ組立のベース絶縁層160に設置するようにしても良い。  実施例としては、ここで述べたものに限定されるものではない。  
図1Aと図1Bに最も良く描かれているように、第一の角部領域108において、第一、第二、第三の平行なループ116, 118, 120を横切っている巻軌跡の終端位置122で、第三のループ120は終了している。  終端位置122において、アンテナ軌跡コンダクター102は、コンダクター層の終端部分106とインターフェースするようになっている。  コンダクター層の終端部分106は、横断部材124によって、コンダクター層の開始端部分104の上または下を横切り、第一の角部領域108において端部横断領域126を形成するようになっている。  一つの実施例においては、横断部材124は、巻軌跡の終端位置122に近接して配置された貫通接点128を介してアンテナ軌跡コンダクター102と電気的に連通している。  横断部材124は、図1, 1A, 1Bに示すように第一、第二、第三の平行なループ116, 118, 120の下を通って、あるいは図示してはいないが、第一、第二、第三の平行なループ116, 118, 120の上を通って終端側接続部材130に至っている。  横断部材124は、貫通接点132を介して終端側接続部材130に電気的に接続されている。  その結果、終端側接続部材130は、貫通接点128、132と横断部材124を介してアンテナ軌跡コンダクター102に電気的に連通されている。  一つの実施例では、終端側接続部材130は、コンダクター層の終端部分106がL字状になるように第一のループ116に平行に、かつ近接して配置されている。
【００２９】
図1Bに最も良く描かれているように、端部横断領域126には、アンテナ軌跡コンダクター102とベース絶縁層160が含まれており、このベース絶縁層160は、コンダクター層の開始端部分104、第一、第二、第三のループ116, 118, 120、並びにコンダクター層の終端部分106と、横断部材124との間に配置されている。  従って、コンダクター層の開始端部分104とコンダクター層の終端部分106とは互いに電気的に絶縁されている。  アンテナ組立100aの端部横断領域126はアンテナ組立支持絶縁層150の上に配置されるように構成することもできる。  更に、横断部材124はアンテナ組立支持絶縁層150の上に配置されている。  一つの実施例では、特に図1Bに示すように、ダミーまたは詰め物としてのインシュレーション、あるいは絶縁層155が、横断部材124に隣接し、かつベース絶縁層160とアンテナ組立支持絶縁層150との間に配置されている。  
アンテナ組立100aには、アンテナ組立100aと共通する平坦な表面165の少なくとも一部を覆って配置されたアンテナ組立用上部カバーまたは被覆絶縁層170を備えるようにしても良い。  更に、端部横断領域126、アンテナ軌跡コンダクター102、アンテナ組立支持絶縁層150、ベース絶縁層160、および被覆絶縁層170の各々が薄いフィルム材料から作られた薄いフィルムを形成するようにしてアンテナ組立100aを構成されている。  特に、端部横断領域126にある電気的に導電性を有する部材、即ち、巻軌跡の終端位置122、横断部材124、終端側接続部材130、およびアンテナ軌跡コンダクター102のような部材は、導電性印刷を施したフィルム、銅テープ、あるいはその他の薄いフィルム層として使用することができる電気的に導電性を有する材料などの薄いフィルムで構成することができる。  第一、第二、および第三の絶縁層150, 160, 170のような電気的に絶縁性を有する薄いフィルム状の材料としては、フッ化ビニリデン樹脂(PVDF)(米国ペンシルバニア州フィラデルフィアにあるELF Atochem North America社製の商標名「Kynar」、あるいは米国テキサス州ヒューストンにあるSivay America Inc. 製の商標名「Solef」として販売されている)、またはポリエステルフィルム(米国デラウエア州ウィルミントンにあるdu Pont de Nemous and Company 製の商標名「Myler」として販売されている)の中から選ぶことができる。  そして、これらはいずれも薄いフィルム層として使用することができるものである。  ここで述べた材料は、例示したものに過ぎず、当業者であれば、その他の適切な材料についても使用することができることは、容易に理解できる事項である。  
薄いフィルム状の材料を使用した構成とすることによって、最大全高H1は、横断部材124、横断部材124の上に配置されたベース絶縁層160、第一、第二、第三の平行なループ116, 118, 120、およびベース絶縁層160の上に配置された終端側接続部材130の厚さによって決定される。  最大全高H1は0.7mmまでである。
【００３０】
一つの実施例において、アンテナ組立100aが更にアンテナ組立支持絶縁層150(またはアンテナ組立底部絶縁層150)と被覆絶縁層170(または上部カバー絶縁層170)を含む場合には、最大全高H1’は、アンテナ組立支持絶縁層150、アンテナ組立支持絶縁層150の上に配置された横断部材124、横断部材124の上に配置されたベース絶縁層160、第一、第二、第三の平行なループ116, 118, 120、ベース絶縁層160の上に配置された終端側接続部材130、および第一、第二、第三の平行なループ116, 118, 120上に配置された被覆絶縁層170の厚さによって決定される。
【００３１】
図1Bに示すように、建造物や建物(明確には示してないが)の床5のような構造には、基礎構造や下地床10とフローリングや床カバーのようなカバー類が含まれる。  当業者であれば、そのような建造物や建物の壁、天井、あるいはその他の部分、戸内、戸外の構造がどのようになっているかということについては、容易に理解できる事項である。  同様に、その構造は壁の内装や、天井の内装、その他類似のものであっても良い。  また、カバー類とは、壁のボードや天井の表面、その他類似のものであっても良い。  実施例としては、ここで述べたものに限定されるものではない。  しかし、本発明を完全に説明するために、構造とは、建造物や建物の床5を言うものとし、基礎構造とは、下地床10を言うものとし、そしてカバー類とは、フローリングまたは床カバーを言うものとする。
【００３２】
アンテナ組立100aは薄いフィルム状の材料で構成されており、アンテナ組立100aには、巻軌跡の終端位置122、横断部材124、終端側接続部材130、及びアンテナ軌跡コンダクター102のような電気的に導電性を持った端部横断領域126と、電気的に絶縁されたアンテナ組立支持絶縁層150, 160, 170が含まれている。  このアンテナ組立100aは、床の構造を顕著に変更したり、または床上を通行する人や通行人の往来の障害となる影響を与えることなく、下地床10とフローリングまたは床カバー20の間に設置することができるような最大全高H1’で表される全厚さを有している。  最大全高H1’は、約15mmまでであるが、最も一般的な応用例では、最大全高H1’は1.3mmまでとなっている。  アンテナ組立100aの長さL1と幅W1は、約155cm X 約65cm となっているが、このようなものに限定されるものではない。  
一つの実施例では、アンテナ組立100aは、アンテナ組立支持絶縁層150及び/又は被覆絶縁層170(または上部カバー絶縁層170)は省略され、最大全高H1は、最大全高H1’(アンテナ組立支持絶縁層150及び/又は被覆絶縁層170(または上部カバー絶縁層170)を含んだ時の高さ)に等しくなる。  特に、下地床10そのものが適切な電気絶縁性を有しているような場合には、アンテナ組立支持絶縁層150(またはアンテナ組立底部絶縁層150)を省略することもできる。  しかし、湿度の変化のような環境条件からアンテナ組立100aを保護するために、アンテナ組立100aは、もし全体が無理であるならば部分的にでも、ハウジング組立1100の中に収納することが望ましい。  図1, 図1B, 図1Cに示すように、ベース絶縁層160は、少なくとも部分的に、アンテナ組立支持絶縁層150の上に配置されるようになっている。  ダミーまたは詰め物としてのインシュレーション、あるいは絶縁層155が、少なくとも部分的に、ベース絶縁層160とアンテナ組立支持絶縁層150の間に配置されている。  ハウジング組立1100は、アンテナ組立100aの外側外周1115の周りに伸びる外壁1110を備えている。  この外壁1110は、被覆絶縁層170に結合されており、少なくとも部分的に、アンテナ組立100aを取り囲み収納するためにベース絶縁層160にも結合するようにしても良い。  ハウジング組立1100は、アンテナ組立100aの内側外周1125の周りに伸びる内壁1120を備えるようにしても良い。  この内壁1120は、空洞のスペースになっているか、あるいは以下に説明するように、タイル用接着剤が透過できるようにする穴がある部分となっている領域1130を取り囲んでいる。
【００３３】
内側外周1125とこれに隣接する部分は、中実材料で形成するようにしても良い。
【００３４】
一つの実施例では、図1B, 図1Cに示すように、ハウジング組立1100は、底面側蓋としてアンテナ組立支持絶縁層150を取り入れ、上面側蓋として被覆絶縁層170を取り入れることもできる。外壁1110と内壁1120の各々は、もし全体が無理であるならば部分的にでも、気密シールを形成するためにジョイント部180において、アンテナ組立支持絶縁層150と被覆絶縁層170とに結合するようにしても良い。  ハウジング組立1100には、更に、ハウジング組立1100の内側外周1125に隣接した部分に配置される、一連の取り付けスリーブまたは取り付けリング1011を備えるようにしても良い。  例として、6つの取り付けスリーブまたは取り付けリング1011が図1に示されている。  これらは領域1130と内壁1120の内側外周1125とによって形成される4つの角部周辺と、内側外周1125の両サイドであって、ハウジング組立1100の長手方向の中心位置に設けられている。  フローリング5を除去することによって、下地床10はきれいになる。  アンテナ組立100aを収納したハウジング組立1100は、下地床10上の必要な場所に配置される。  一連の取り付けスリーブまたは取り付けリング1011に対応した位置に取り付けネジ(図示せず)を設けるために、ドリル加工によりアンカー穴(図示せず)を下地床10に設ける。  一旦、ハウジング組立1100が取り付けネジを使って所要の位置に取り付けられると、空洞のスペースになっているか、あるいはタイル用接着剤が透過できるようにする穴が設けられた、開口した領域1130の中にタイル用接着剤が塗布される。
【００３５】
次に、図1, 1A, 1B’,1C’を参照する。  ハウジング組立1100の実施例のバリエーションの一つとして、アンテナ組立100bがハウジング組立1200の中に取り込まれている。  このハウジング組立1200、アンテナ組立100bは、ハウジング組立1100、アンテナ組立100aとは一部を除きそれぞれ同一である。  相違する点は、図1B’に示すように、端部横断領域126において、角部領域またはジョイント156を形成するために、横断部材124が上方に配置されているアンテナ組立支持絶縁層150’が上方へ曲げられた部位151によってベース絶縁層160と接続していることである。  ダミーまたは詰め物としてのインシュレーション、あるいは絶縁層155は、端部横断領域126を除いて、アンテナ組立100bから省略されている。
【００３６】
図1C’を参照すると、ハウジング組立1200は、アンテナ組立100bの外周1215周りに伸びる外壁1210を備えている。 また、ハウジング組立1200はアンテナ組立100bの内周1225周りに伸びる内壁1220を備えるようにしても良い。  外壁1210及び内壁1220は、少なくとも部分的に、アンテナ組立100bを取り囲み、収納するために、それぞれジョイント部180の位置で被覆絶縁層170とアンテナ組立支持絶縁層150に結合するようにしても良い。  次に、内壁1220は、前にも述べたように、空洞のスペースになっているか、あるいはタイル用接着剤が透過できるようにする穴が設けられた領域1230を取り囲んでいる。  内周1225とこれに隣接する部分は、中実の材料によって形成されている。  ハウジング組立1100の取り付けスリーブまたは取り付けリング1011と同じような方法によって、ハウジング組立1200は一連の取り付けスリーブまたは取り付けリング1012を備えている。  そしてこれらの取り付けスリーブまたは取り付けリング1012は、内周1225に隣接したハウジング組立1200の部分の所要の位置に配置されている。
【００３７】
図1Cに示されたハウジング組立1100、アンテナ組立100aと、図1C’に示されたハウジング組立1200、アンテナ組立100bとを比べてみると、同じ厚さの材料を使うことによって、ハウジング組立1100の内壁1120と外壁1110の高さH1aが、ハウジング組立1200の内壁1220と外壁1210の高さH1bよりも高くなっていることが分かる。  従って、端部横断領域126の位置を除き、ハウジング組立1100に比べ、ハウジング組立1200の方がより低い外形形状とすることができる。
【００３８】
図2, 2A, 2B, 2Cは、本発明に係る薄いフィルム状の構造物を使用したEASまたはRFIDシステム用の単一ループの送信機または送受信機組立の別実施例を示したものである。  特に、図2は、薄いフィルム状の構造物を使用した、単一ループ巻きの送信機または送受信機としてのアンテナ組立100aの別の実施例を示している。  ここでも、説明を簡単にするために、図2では、空芯アンテナ組立100a’又は100b’を収納したハウジング組立1100’を部分的に示してある。   図2Aは、送信機または送受信機のアンテナ組立100a’又は100b’の部分詳細の平面図を示したものであり、併せて図2のハウジング組立についても部分的に示したものである。   図2Bは、図2Aの2B-2Bで示す線分に沿った断面での送信機または送受信機組立100a’の部分詳細の立断面図を示したものであり、併せて端部横断領域におけるハウジング組立1100’についても示している。   図2Cは、図2の2C-2Cで示す線分に沿った断面でのハウジング組立1100’と送信機または送受信機組立100a’の立断面図を示したものである。 以下に、詳細に説明するように、ハウジング組立1100’は外壁1110’と内壁1120’とを備えている。
【００３９】
特に、アンテナ組立100a’はベース絶縁層160(または基材160)の共通する平坦な表面165上に、少なくとも部分的に配置されたアンテナ101’を含んでいる。  このアンテナ101’は、コンダクター層の開始端部分104とコンダクター層の終端部分106を有するアンテナ軌跡コンダクター102を備えている。  アンテナ101’はアンテナ101と同じであるが、第一の角部領域108におけるコンダクター層の終端部分106は、横断部材と終端側接続部材134を組み合わせたL字状の形状を有しているという点において異なる。  そして、この横断部材と終端側接続部材134を組み合わせた部分は、巻軌跡の終端位置122に近接した位置に配置される貫通接点128を介してアンテナ軌跡コンダクター102に電気的に連通している。  横断部材と終端側接続部材134を組み合わせたL字状の部分は、L字状の形状を呈するように、互いに直角な方向を向いて配置された第一の分岐部分136と第二の分岐部分138から構成されている。
【００４０】
図2Aと2Bに最も良く表されているが、横断部材と終端側接続部材134を組み合わせた部分は、第一の角部領域108において端部横断領域126’を形成するために、コンダクター層の開始端部分104の下または上(図示せず)を横切るようになっている。  特に、第一の分岐部分136は第三のループ120、第二のループ118、および第一のループの一部の下を横切っている。  第二の分岐部分138は、第二の分岐部分138の横のエッジ部140が第一のループ116の横のエッジ142を越えて伸びるような位置関係を持って、部分的にコンダクター層の開始端部分104の下に配置されている。  アンテナ101’はループ116, 118, 120のように複数のループを備える構成となっている。
【００４１】
端部横断領域126’は、アンテナ軌跡コンダクター102とベース絶縁層160を備えている。  ここで、ベース絶縁層160は、コンダクター層の開始端部分104並びにループ116, 118, 120とコンダクター層の終端部分106、すなわち、横断部材と終端側接続部材134を組み合わせたL字状の部分との間に配置されている。  従って、コンダクター層の開始端部分104とコンダクター層の終端部分106は互いに電気的に絶縁されている。
【００４２】
当業者であれば、図1, 1A, 1Bに関連して先に説明したアンテナ組立100及びここで説明したアンテナ組立100’には交流電流が流されるということは容易に理解できる事項である。  
また、コンダクター層の開始端部分としてコンダクター層の端部分104と呼んだり、コンダクター層の終端部分としてコンダクター層の端部分106またはコンダクター層の端部分106’として呼ぶことは、単に説明の都合上任意に選択されたものであることも当業者には容易に理解できる事項である。  また、コンダクター層の端部分104は、コンダクター層の終端部分として説明することもでき、コンダクター層の端部分106、106’はコンダクター層の開始端部分106として説明することができることについても当業者には容易に理解できる事項である。
【００４３】
図2Bに示すように、アンテナ組立100a’は、被覆絶縁層170を更に備えるようにすることもできる。  更に、アンテナ組立100a’は、端部横断領域126’に含まれる電気的に導電性を有する部材、アンテナ軌跡コンダクター102、そして、アンテナ組立支持絶縁層150、ベース絶縁層160、および被覆絶縁層170のような電気的に絶縁性を有する部材で構成され、これらの各々は、薄いフィルム状の材料からできた薄いフィルムで構成されている。  端部横断領域126’は、前に説明した端部横断領域126と同じ材料で形成されている。  
このような薄いフィルム状の材料を使用した結果、最大全高さH2は、横断部材と終端側接続部材134、横断部材と終端側接続部材134の上に配置されたベース絶縁層160、およびベース絶縁層160の上に配置された第一、第二、第三のループ116, 118, 120の厚さによって決定される。  最大全高さH2は約0.7mmまでである。  
一つの実施例において、アンテナ組立100a’が、更にアンテナ組立支持絶縁層150と被覆絶縁層170を含む場合には、最大全高さH2’は、アンテナ組立支持絶縁層150、アンテナ組立支持絶縁層150の上に配置された横断部材と終端側接続部材134、横断部材と終端側接続部材134の上に配置されたベース絶縁層160、ベース絶縁層160の上に配置された第一、第二、第三のループ116, 118, 120、および第一、第二、第三のループ116, 118, 120の上に配置された被覆絶縁層170の厚さによって決定される。  最大全高さH2’は約15mmまでの高さの寸法が可能であるが、約1.3mmまでである。  
一つの実施例では、アンテナ組立100a’は、アンテナ組立支持絶縁層150及び/又は被覆絶縁層170が省略された場合、最大全高さH2が、アンテナ組立支持絶縁層150及び/又は被覆絶縁層170が含まれる場合の最大全高さH2’に等しくなる。
【００４４】
湿度変化のような環境条件からアンテナ組立100a’を保護するために、アンテナ組立100a’は、全体は無理としても少なくとも一部は、ハウジング組立1100’の中に収納することが望ましい。  図2, 2B, 2Cに示すように、ベース絶縁層160は、少なくとも部分的に、アンテナ組立支持絶縁層150の上に配置するようにしても良い。  ダミーまたは詰め物としてのインシュレーション、あるいは絶縁層155が、少なくとも部分的に、ベース絶縁層160とアンテナ組立支持絶縁層150の間に配置するようにしても良い。  ハウジング組立1100’は、アンテナ組立100a’の外側外周1115’の周りに伸びる外壁1110’を備えている。  この外壁1110’は、被覆絶縁層170に結合されており、ベース絶縁層160にも結合するようにしても良い。  ハウジング組立1100’は、アンテナ組立100a’の内側外周1125の周りに伸びる内壁1120を備えるようにしても良い。  この内壁1120は、空洞のスペースになっているか、あるいは既に説明したように、タイル用接着剤が透過できるようにする穴がある部分となっている領域1130を取り囲んでいる。  内側外周1125とこれに隣接する部分は、中実材料で形成するようにしても良い。
【００４５】
一つの実施例では、図2B, 図2Cに示すように、ハウジング組立1100’は、底面側蓋としてアンテナ組立支持絶縁層150を取り入れ、上面側蓋として被覆絶縁層170を取り入れることもできる。  外壁1110’と内壁1120’の各々は、気密シールを形成するためにジョイント部180において、アンテナ組立支持絶縁層150と被覆絶縁層170とに結合するようにしても良い。  ハウジング組立1100’には、更に、ハウジング組立1100’の内側外周1125に隣接した部分に配置される、一連の取り付けスリーブ1011を備えるようにしても良い。  例として、6つの取り付けスリーブ1011が図2に示されている。  これらは領域1130と内壁1120の内側外周1125とによって形成される4つの角部周辺と、内側外周1125の両サイドであって、ハウジング組立1100の長手方向の中心位置に設けられている。  ハウジング組立1100’は図1, 1A, 1B, 1Cに関連して説明したハウジング組立1100とは、以下の点において異なる。  図1では、第一の角部領域108における端部横断領域126の形態のために、ハウジング組立1100の幅はW1となっているのに対し、図2では、第一の角部領域108における端部横断領域126’の形態のために、ハウジング組立1100’の幅はW1’となっている。  この幅W1は、主に終端側接続部材130の位置に依存している。(図1Aと図1B参照)  幅W1’はループ116の巻きが横断部材と終端側接続部材134と重なり合っており、特に、第二の分岐部分138とそのエッジ部分140の位置に依存している。(図2Aと図2B参照)
更に、ハウジング組立1100、アンテナ組立100a、ハウジング組立1200およびアンテナ組立100bに関連して説明したことと同様に、建造物や建物(明確には示してないが)の床5のような構造には、基礎構造や下地床10とフローリングや床カバーのようなカバー類が含まれる。  電気的に導電性を有する端部横断領域126’を備えたアンテナ組立100a’は薄いフィルム状の材料によって構成されている。  そしてこのような薄いフィルム状の材料は、第一の分岐部分136と第二の分岐部分138からなる横断部材と終端側接続部材134、第一、第二、第三の平行なループ116, 118, 120、および電気的に絶縁された層150, 160, 170  に適用されている。 これは、アンテナ組立100aを、床の構造を顕著に変更したり、または床上を通行する人や通行人の往来の障害となる影響を与えることなく、下地床10とフローリングまたは床カバー20の間に設置することができるような最大全高H2’で表される全厚さにするためである。  最大全高H2’は、約15mmまでであるが、最も一般的な応用例では、最大全高H2’は1.3mmまでとなっている。  アンテナ組立100a’の長さL1’と幅W1’は、約155cm X 約65cm となっているが、このようなものに限定されるものではない。
【００４６】
次に、図2, 2A, 2B’, 2C’を参照する。  ハウジング組立1100’の実施例のバリエーションとして、これらの図には、アンテナ組立100b’を収納したハウジング組立1200’が示されている。  前にも述べたことと同じように、  このアンテナ組立100b’は、アンテナ組立100a’とは一部を除きそれぞれ同一である。  相違する点は、図2B’に示すように、端部横断領域126’において、角部領域またはジョイント156を形成するために、横断部材124が上方に配置されているアンテナ組立支持絶縁層150’が上方へ曲げられた部位151によってベース絶縁層160と接続していることである。  ダミーまたは詰め物としてのインシュレーション、あるいは絶縁層155は、端部横断領域126’を除いて、アンテナ組立100b’から省略されている。
【００４７】
図2C’を参照すると、ハウジング組立1200’は、アンテナ組立100b’の外周1215’周りに伸びる外壁1210’を備えている。 また、ハウジング組立1200’はアンテナ組立100b’の内周1225’周りに伸びる内壁1220’を備えるようにしても良い。  内壁1220’は、前にも述べたように、空洞のスペースになっているか、あるいはタイル用接着剤が透過できるようにする穴が設けられた領域1230’を取り囲んでいる。  内周1225’とこれに隣接する部分は、中実の材料によって形成されている。  ハウジング組立1100’の取り付けスリーブ1011と同じような方法によって、ハウジング組立1200’は一連の取り付けスリーブ1012を備えている。  そしてこれらの取り付けスリーブ1012は、内周1225’に隣接したハウジング組立1200’の部分の所要の位置に配置されている。
【００４８】
図2Cに示されたハウジング組立1100’、アンテナ組立100a’と、図2C’に示されたハウジング組立1200’、アンテナ組立100b’とを比べてみると、同じ厚さの材料を使うことによって、ハウジング組立1100’の内壁1120と外壁1110’の高さH2aが、ハウジング組立1200’の内壁1220と外壁1210’の高さH2bよりも高くなっていることが分かる。  従って、端部横断領域126’の位置を除き、ハウジング組立1100’に比べ、ハウジング組立1200’の方がより低い外形形状とすることができる。
【００４９】
図3, 3A, 3B, 3C, 3Dは、本発明に係る分離タイプの送信機と送受信機用の巻きを備えた空芯アンテナ組立200aまたは200bの別の実施例を示したものである。ここでも、説明を簡単にするために、図3では、空芯アンテナ組立200a又は200bを収納したハウジング組立2100又は2200を部分的に示してある。  特に、アンテナ組立200a、200bは、内側領域部分162において、ベース絶縁層160(または基材160)の共通する平坦な表面165上に、少なくとも部分的に配置されたアンテナ101’(図2参照)を含んでいる。  このアンテナ101’は、コンダクター層の開始端部分104とコンダクター層の終端部分106’を有するアンテナ軌跡コンダクター102を備えている。
【００５０】
アンテナ組立200aまたは200bは、以下の点を除き、アンテナ組立100a’または100b’とそれぞれ同じである。  相違する点は、アンテナ組立200aまたは200bが更に分離した受信用アンテナ201を備えていることである。  そしてこの受信用アンテナ201は、少なくとも部分的に、ベース絶縁層160の上に、特に、共通する平坦な表面165の上に配置されている。  
受信用アンテナ201は、コンダクター層の終端部分207とコンダクター層の開始端部分206を有するアンテナ軌跡コンダクター202を備えている。  受信機の横断領域236において、アンテナ軌跡コンダクター202の第一の角部領域208を形成するために、コンダクター層の終端部分207はアンテナ軌跡コンダクター102の第一、第二、第三のループ116, 118, 120の下または上(図示せず)のいずれかを横断するようにして配置されている。  一つの実施例においては、コンダクター層の終端部分207は、第一の角部領域208の近辺において、埋め込まれた貫通接点203を介してアンテナ軌跡コンダクター202に電気的に接続されている。  コンダクター層の終端部分207は、コンダクター層の終端部分207がアンテナ軌跡コンダクター102の横断部材と終端側接続部材134の近傍に配置されるように、L字状の形状を有している。  しかし、直線状の形状や、角度を有する形状についても、コンダクター層の終端部分207に適用することができる。  実施例としては、ここで述べたものに限定されるものではない。  アンテナ軌跡コンダクター102の形状の場合と同様に、アンテナ軌跡コンダクター202は、図3に示されているように、角形の螺旋形を形成するようにしてもよい。また、別の形状として正方形、円、楕円、その他の形状を使った構成にすることもできる。  実施例としては、ここで述べたものに限定されるものではない。  コンダクター層の終端部分207は、角形の螺旋形の一端を形成し、コンダクター層の開始端部分206が角形の螺旋形の他端を形成している。  角形の螺旋形の形状に併せて、受信機用のアンテナ軌跡コンダクター202は、送信機用のアンテナ軌跡コンダクター102がアンテナ軌跡コンダクター202の回りを取り囲むように、基材またはベース絶縁層160の内側領域部分162に配置するように構成しても良い。
【００５１】
コンダクター層の終端部分207がある第一の角部領域208の近傍において、アンテナ軌跡コンダクター202は、第一のループ216を形成するために、第二、第三、および第四の角部領域210, 212, 214へと内側に向かって螺旋状に進む。  第一の角部領域208において、アンテナ軌跡コンダクター202は、第一のループ216と平行な、第二のループ218を形成するために第二、第三、および第四の角部領域210, 212, 214へと内側に向かって螺旋状に進む。  第四、第五、第六、第七、第八のループ222, 224, 226, 228, 230も同様にして形成される。  当業者であれば、ループ216から230までの数を増やしたり、減らしたりすることができることや、8個のループ216から230は、単に例示したに過ぎないものであるということは容易に理解できる事項である。  従って、アンテナ101は、例えば、ループ216から230からなる複数のループで構成されている。  更に、ループ216, 218, 220, 222, 224, 226, 228, および230は内側に向かって螺旋状になっていると説明してきたが、内側に向かって螺旋を形成するのとは逆に外側に向かって螺旋を形成するようにして、アンテナ組立のベース絶縁層160に設置するようにしても良い。  実施例としては、ここで述べたものに限定されるものではない。  
第一の角部領域208の近傍において、第一から第八の平行なループ216から230を横切っている巻軌跡の終端位置232で、ループ230は終了している。 終端位置232において、アンテナ軌跡コンダクター202は、コンダクター層の開始端部分206とインターフェースするようになっている。  コンダクター層の開始端部分206は、横断部材234によって、コンダクター層の終端部分207の上または下を横切り、第一の角部領域208の近傍において端部横断領域236を形成するようになっている。
【００５２】
一つの実施例においては、横断部材234は、巻軌跡の終端位置232に近接して配置された貫通接点238を介してアンテナ軌跡コンダクター202と電気的に連通している。  横断部材234は、図3に示すように第一から第八までの平行なループ216から230の下を通って、あるいは図示してはいないが、第一から第八までの平行なループ216から230の上を通って、かつ、アンテナ軌跡コンダクター102の第一、第二、第三のループ116, 118, 120の下を通って、終端側接続部材240に至っている。  その結果、終端側接続部材240は貫通接点238を介してアンテナ軌跡コンダクター202に電気的に接続されている。
【００５３】
図3Bと3Cに最も良く描かれているように、アンテナ組立100および100’に関して説明したのと同様に、受信機の端部横断領域236は、アンテナ軌跡コンダクター102とベース絶縁層160を含んでおり、このベース絶縁層160は、アンテナ軌跡コンダクター102のループ116, 118, 120、並びにコンダクター層の終端部分207とコンダクター層の開始端部分206の間に配置されている。  このベース絶縁層160は、また、コンダクター層の開始端部分206とアンテナ軌跡コンダクター202のループ216から230の間に配置されている。  従って、コンダクター層の開始端部分104とコンダクター層の終端部分106は互いに電気的に絶縁されている。  さらに、コンダクター層の終端部分207とコンダクター層の開始端部分206は互いに電気的に絶縁されている。
【００５４】
図3B, 3B’, 3C, 3C’, 3D, 3D’に示すように、アンテナ組立200a, 200bには、アンテナ組立用被覆または被覆絶縁層170を備えるようにしても良い。  更に、端部横断領域126、126’及びアンテナ軌跡コンダクター102に関して前述したように、端部横断領域126’、236、アンテナ軌跡コンダクター102, 202、などの電気の導電性部材が薄いフィルム材料から作られた薄いフィルムを形成するようにしてアンテナ組立200が構成されている。  基材またはアンテナ組立支持絶縁層150、ベース絶縁層160、および被覆絶縁層170などの電気的に絶縁性を有する部材は、前にも述べたように薄いフィルム状の材料から作られた薄いフィルムを形成するようにして構成されている。  
特に、図3Bを参照すると、薄いフィルム状の材料を使用した結果として、最大全高H3は、コンダクター層の終端部分207、コンダクター層の終端部分207の上に配置されたベース絶縁層160、及びベース絶縁層160の上に配置された第一、第二、第三の平行なループ116, 118, 120の厚さによって決定される。  最大全高H3は0.7mmまでである。
【００５５】
一つの実施例において、アンテナ組立200a又は200bが、更にアンテナ組立支持絶縁層150(またはアンテナ組立底部絶縁層150)と被覆絶縁層170(または被覆絶縁層170)を含む場合には、最大全高H3’は、アンテナ組立支持絶縁層150、アンテナ組立支持絶縁層150の上に配置されたコンダクター層の終端部分207、コンダクター層の終端部分207の上に配置されたベース絶縁層160、第ベース絶縁層160の上に配置された第一、第二、第三の平行なループ116, 118, 120、および第一、第二、第三の平行なループ116, 118, 120上に配置された被覆絶縁層170の厚さによって決定される。 最大全高さH3’は約15mmまでの高さの寸法が可能であるが、約1.3mmまでである。
【００５６】
一つの実施例では、アンテナ組立200は、アンテナ組立支持絶縁層150及び/又は被覆絶縁層170が省略された場合、最大全高さH3が、アンテナ組立支持絶縁層150及び/又は被覆絶縁層170が含まれる場合の最大全高さH3’に等しくなる。
【００５７】
特に、図3Cを参照すると、薄いフィルム状の材料を使用した結果として、最大全高H4は、受信機の端部横断領域236、受信機の端部横断領域236の上に配置されたベース絶縁層160、ベース絶縁層160の上に配置された第一、第二、第三の平行な送信機用ループ116, 118, 120と第一から第八までの受信機用の平行なループ216, 218, 220, 222, 224, 226, 228, および230、の厚さによって決定される。  最大全高H4は0.7mmまでである。
【００５８】
一つの実施例において、アンテナ組立200a又は200bが、更にアンテナ組立支持絶縁層150(またはアンテナ組立底部絶縁層150)と被覆絶縁層170(または上部カバー絶縁層170)を含む場合には、最大全高H4’は、アンテナ組立支持絶縁層150、アンテナ組立支持絶縁層150の上に配置された受信機用の端部横断領域236、受信機用の端部横断領域236の上に配置されたベース絶縁層160、ベース絶縁層160の上に配置された第一、第二、第三の平行な送信機用ループ116, 118, 120と第一から第八までの受信機用の平行なループ216, 218, 220, 222, 224, 226, 228, 230、および第一、第二、第三の平行な送信機用ループ116, 118, 120と第一から第八までの受信機用の平行なループ216, 218, 220, 222, 224, 226, 228, および230の上に配置された被覆絶縁層170の厚さによって決定される。  最大全高さH4’は約15mmまでの高さの寸法が可能であるが、約1.3mmまでである。
【００５９】
一つの実施例では、アンテナ組立200は、アンテナ組立支持絶縁層150及び/又は被覆絶縁層170が省略された場合、最大全高さH4が、アンテナ組立支持絶縁層150及び/又は被覆絶縁層170が含まれる場合の最大全高さH4’に等しくなる。
【００６０】
更に、図3Bに示すように、アンテナ組立100aおよび100a’に関連して前述したように、建造物や建物の床5のような構造物には基礎構造や下地床10とフローリングや床カバー20のようなカバー類が含まれる。 受信機アンテナのコンダクター層の終端部分207を含む、アンテナ組立200aは、薄いフィルム状の材料を受信機用アンテナ201の第一のループ216と送信機用アンテナ101’の第一、第二、および第三の平行なループ116, 118, 120と電気的な絶縁層150, 160, 170に適用して構成することによって、最大全高さH3’によって代表される全高さを持つようになる。  その結果、アンテナ組立200aは、床の構造を顕著に変更したり、または床上を通行する人や通行人の往来の障害となる影響を与えることなく、下地床10とフローリングまたは床カバー20の間に配置することが可能となる。
【００６１】
同様に、図3Cを参照すると、受信機用アンテナ201のコンダクター層の開始端部分206を含む、アンテナ組立200は、薄いフィルム状の材料を受信機用アンテナ201の第一から第八までのループ216, 218,220, 222, 224, 226, 228, 230と、受信機の端部横断領域236の横断部材234と、送信機用アンテナ101’の第一、第二、および第三の平行なループ116, 118, 120と、電気的な絶縁層150, 160, 170に適用して構成することによって、最大全高さH4’によって代表される全高さを持つようになる。 その結果、アンテナ組立200は、床の構造を顕著に変更したり、または床上を通行する人や通行人の往来の障害となる影響を与えることなく、下地床10とフローリングまたは床カバー20の間に配置することが可能となる。
【００６２】
上述したように、最大全高さH3’と最大全高さH4’は、約15mmまでであるが、最も一般的な応用例では、最大全高H3’とH4’は1.3mmまでとなっている。 更に、最も一般的な応用例では、最大全高H3’と最大全高さH4’とは等しい。  アンテナ組立200aまたは200bの長さL1と幅W1は、約155cm X 約65cm となっているが、このようなものに限定されるものではない。  
更に、図3B, 3B’, 3C’を参照すると、ハウジング組立2200、アンテナ組立200bは、以下の点を除き、ハウジング組立2100、アンテナ組立200aとそれぞれ同一であることが理解できるであろう。  即ち、相違点は、角部領域またはジョイント156を形成するために、その上に端部横断領域236が配置されているアンテナ組立支持絶縁層150’が上方へ曲げられた部位151によってベース絶縁層160と接続していることである。  ダミーまたは詰め物としてのインシュレーション、あるいは絶縁層155は、コンダクター層の終端部分207と端部横断領域236の部分を除いて、アンテナ組立200bから省略されている。
【００６３】
図3および3Dを参照すると、ハウジング組立2100はハウジング組立1100、1100’と同様な方法で構成されていることが分かるであろう。  特に、ハウジング組立2100は外壁2110と内壁2120を備え、この中にアンテナ組立200aが収納されている。  内壁2120は空のスペースである領域2130を取り囲んでいる。  このハウジング組立2100はジョイント部180において気密にシールされている。  
同様に、図3および3D’を参照すると、ハウジング組立2200ハウジング組立1200、1200’と同様な方法で構成されていることが分かるであろう。  特に、ハウジング組立2200は外壁2210と内壁2220を備え、この中にアンテナ組立200aが収納されている。  内壁2220は空のスペースである領域2230を取り囲んでいる。  このハウジング組立2200はジョイント部180において気密にシールされている。  
しかし、ハウジング組立2100と2200は、一連の取り付けスリーブ1011(図3と3D参照)および1012(図3と3D’参照)が領域250の中でより適切な位置に配置されている点において、ハウジング組立1100, 1100’およびハウジング組立1200と1200’とはそれぞれ異なる。  ここで、領域250とは、一般には受信機用の巻き線、即ち受信機用の巻き216の外周と、送信機用の巻き線、即ち送信機用の巻き120の内周との間の隙間またはインターフェース部分をいう。  しかし、アンテナ組立の設置手順については、ハウジング組立1100, 1100’、1200、1200’に関連して既に述べた手順と同じである。
【００６４】
図4, 4Aは、本発明に係る薄いフィルム構造を使用した複数の受信機用巻きと単一の送信機備えた空芯アンテナ組立300の別の実施例を示したものである。ここでも、説明を簡単にするために、図4では、アンテナ組立300を収納したハウジング組立3100を部分的に示してある。  特に、アンテナ組立300は、ベース絶縁層160(または基材160)の共通する平坦な表面165上に、配置されたアンテナ101’(図2参照)を含んでいる。  このアンテナ101’は、コンダクター層の開始端部分104とコンダクター層の終端部分106’を有するアンテナ軌跡コンダクター102を備えている。
【００６５】
アンテナ組立300は、以下の点を除き、アンテナ組立200aまたは200bと同じである。  即ち、相違点は、送信機用のアンテナ軌跡コンダクター102が単一の受信機用のアンテナ軌跡コンダクター202(図3参照)を取り囲んでおり、複数のアンテナ軌跡コンダクター202を取り囲むようにするために、送信機用のアンテナ軌跡コンダクター102は、基材またはベース絶縁層160の共通する平坦な表面165上に形成されていることである。  そして、この複数のアンテナ軌跡コンダクター202は、第一、および第二のアンテナ軌跡コンダクター202a, 202bから成り、ベース絶縁層160の内側領域部分162に配置されている。  その結果、第一の受信機用のアンテナ軌跡コンダクター202aに関係する第一の受信機の端部横断領域236aと第二の受信機用のアンテナ軌跡コンダクター202bに関係する第二の受信機の端部横断領域236bは、送信機用のアンテナ軌跡コンダクター102の第一、第二、第三のループ116, 118, 120に直交する方向に分かれて配置されている。
【００６６】
第一の受信機の端部横断領域236aと第二の受信機の端部横断領域236bは、以下の点を除いては、受信機用の端部横断領域236と同様である。  即ち、相違する点は、端部横断領域236a、236bの各々は受信機用のコンダクター層の終端部分207a, 207bをそれぞれ含んでいる。  そして、受信機用のコンダクター層の終端部分207aがアンテナ軌跡コンダクター102の横断部材と終端側接続部材134の近傍に配置されることに加え、L字状の受信機のコンダクター層の終端部分207bは、アンテナ組立支持絶縁層150の第一の角部領域108にある受信機用のコンダクター層の終端部分207aに近接して配置されている。
【００６７】
同様にして、アンテナ101’、201およびベース絶縁層160を薄いフィルム状の材料からできた薄いフィルムを使用することによって、アンテナ組立300を構成している。  
図2B, 3B, 3Cに示すように、アンテナ組立300は、アンテナ組立300の上、且つ共通する平坦な表面165上に、少なくとも部分的に配置された被覆絶縁層170を含むようにしても良い。
【００６８】
特に、アンテナ組立300は、送信機の端部横断領域126’、第一と第二の受信機の端部横断領域236a、236bおよびアンテナ軌跡コンダクター102、202のような電気的に導電性を有する部材が薄いフィルム状の材料からできた薄いフィルムによって構成されている。  そして、このことは、端部横断領域126とアンテナ軌跡コンダクター102に関して、前にも説明したことである。  同様に、アンテナ組立支持絶縁層150、ベース絶縁層160、被覆絶縁層170のような電気的に絶縁性を有する部材の各々も、前に説明したように、薄いフィルム状の材料からできた薄いフィルムによって構成されている。
【００６９】
図4Aは、図4の4A-4Aで示す線分に沿った断面でのハウジング組立3100を備えたアンテナ組立300の立断面図を示したものである。 アンテナ組立300は、前に説明したハウジング組立1100, 1200, 1100’, 1200’, 2100, 2200と非常に類似している。  相違点は、送信機用のアンテナ軌跡コンダクター102と第一、第二受信機用のアンテナ軌跡コンダクター202a、202bを結合するために、一般的に大きな面積が必要になるということである。  そして、ハウジング組立3100の外周3115の周りに伸びる外壁3110だけが必要になり、内壁、例えば図3に示してある、第一、第二の受信機用のアンテナ軌跡コンダクター202a、202bの内周に沿った内壁2120, 2220については必要であれば、省略することができる。  しかし、このような内壁は必要であれば、実際に含むようにしても良い。  実施例としては、ここで説明したものに限定されるものではない。  ハウジング組立2100、2200に関連して図3に示したように、取り付けスリーブまたは取り付けリング1011が、ハウジング組立の中にどのようにして配置されるかということについては、当業者であれば容易に理解できる事項である。
【００７０】
図示されてはいないが、当業者であれば、ハウジング組立1200, 1200’, あるいは2200に類似させるために、ダミーまたは詰め物としてのインシュレーション、あるいは絶縁層155、またはアンテナ組立のベース絶縁層160を使用することなしにハウジング組立3100を構成することができるということは容易に理解できる事項である。  実施例としては、ここで説明したものに限定されない。  
同様に、ハウジング組立3100を基礎構造または下地床10とフローリングまたは床カバー20の中へ設置する手順は、ハウジング組立1100, 1200, 1100’, 1200’に関連して前に説明したことと基本的には同一である。
【００７１】
図5, 5Aは、本発明に係る複数の送信機用巻きと複数の受信機用巻きを備えたアンテナ組立300の更に別の実施例を示したものである。  ここでも、説明を簡単にするために、図5では、空芯アンテナ組立400を収納したハウジング組立4100を部分的に示してある。  特に、アンテナ組立400は、アンテナ組立支持絶縁層150上に配置されたアンテナ101’(図2参照)と受信機用のアンテナ201(図3参照)を含んでいる。  このアンテナ101’は、コンダクター層の開始端部分104とコンダクター層の終端部分106’を有するアンテナ軌跡コンダクター102を備えている。
【００７２】
アンテナ組立400は、以下の点を除き、アンテナ組立200と同じである。  即ち、相違点は、単一のセットの送信機用のアンテナ101’と受信機用のアンテナ201の代わりに、複数セットのアンテナがベース絶縁層160の上に配置されている点にある。  更に、一つ送信機用のアンテナ101’と一つの受信機用のアンテナ201’からなる第一のセットが、少なくとも部分的に、ベース絶縁層160の共通する平坦な表面165の第一の内側領域部分162aの上に配置され、同時に、一つ送信機用のアンテナ101”と一つの受信機用のアンテナ201”からなる第二のセットが、少なくとも部分的に、ベース絶縁層160の共通する平坦な表面165の第二の内側領域部分162bの上に配置されている。
【００７３】
一つ送信機用のアンテナ101’と一つの受信機用のアンテナ201’からなる第一のセットは、端部横断領域126’と受信機の端部横断領域236を備えている。  第二のセットの送信機用のアンテナ101”は、以下の点を除き、アンテナ101’と同一である。  即ち、相違点は、送信機用のアンテナ101”が端部横断領域126”を備えていることであり、ここでコンダクター層の開始端部分104’はL字状の形状を有しており、コンダクター層の開始端部分104’は、ベース絶縁層160の第二の内側領域部分162bから、ベース絶縁層160の第一の内側領域部分162aまでであって、第一の角部領域108まで伸びている。  
図2B, 3B, 3Cに示すように、アンテナ組立400は、アンテナ組立400とベース絶縁層160の上に配置された被覆絶縁層170を備えるようにしても良い。  更に、アンテナ組立400は、送信機の端部横断領域126’と 126”、受信機の端部横断領域236、およびアンテナ軌跡コンダクター102と202のような電気的に導電性を有する部材は、端部横断領域126とアンテナ軌跡コンダクター102に関連して前にも説明したように、薄いフィルム状の材料からできた薄いフィルムで構成されている。  同様に、アンテナ組立支持絶縁層150、ベース絶縁層160、被覆絶縁層170のような電気的に絶縁性を持った部材についても、前に説明したように、それぞれ薄いフィルム状の材料からできた薄いフィルムで構成されている。
【００７４】
図5Aは、図5の5A-5Aで示す線分に沿った断面でのハウジング組立4100とアンテナ組立400の立断面図を示したものである。  ハウジング組立3100の場合と同様に、ハウジング組立4100は、既に説明したハウジング組立1100, 1200, 1100’, 1200’, 2100, 2200と類似している。  また、その相違点は、送信機用のアンテナ101’と101”および第一、第二受信機用のアンテナ軌跡コンダクター201’と201”のために、一般的に大きな面積が必要になるということである。  そして、ハウジング組立4100の外周4115の周りに伸びる外壁4110だけが必要になり、第一、第二の受信機用のアンテナ軌跡コンダクター201’と201”の内周に沿った内壁については必要であれば、省略することができる。  このような内壁は必要であれば、実際に含むようにしても良い。  実施例としては、ここで説明したものに限定されるものではない。  
ハウジング組立2100、2200に関連して図3に示したように、取り付けスリーブまたは取り付けリング1011が、ハウジング組立4100の中にどのようにして配置されるかということについては、当業者であれば容易に理解できる事項である。
【００７５】
一連の取り付けスリーブまたは取り付けリング1011(図3, 3D参照)は、領域250の中に、より適切に配置するようにしても良い。  ここで、領域250とは、一般には受信機用の巻き線、即ち受信機用の巻き216の外周と、送信機用の巻き線、即ち送信機用の巻き120の内周との間の隙間またはインターフェース部分をいう。  ハウジング組立を設置する手順は、ハウジング組立1100, 1200, 1100’, 1200’に関連して前に説明したことと基本的には同一である。
【００７６】
図示されてはいないが、当業者であれば、ハウジング組立1200, 1200’, あるいは2200に類似させるために、ダミーまたは詰め物としてのインシュレーション、あるいは絶縁層155、またはアンテナ組立のベース絶縁層160を使用することなしにハウジング組立4100を構成することができるということは容易に理解できる事項である。  実施例としては、ここで説明したものに限定されない。  
同様に、ハウジング組立4100を基礎構造または下地床10とフローリングまたは床カバー20の中へ設置する手順は、ハウジング組立1100, 1200, 1100’, 1200’に関連して前に説明したことと基本的には同一である。
【００７７】
図6, 6Aは、本発明に係る複数の送受信機用の巻きを備えたアンテナ組立の更に別の実施例を示したものである。  ここでも、説明を簡単にするために、図6では、空芯アンテナ組立500を収納したハウジング組立5100を部分的に示してある。 図6Aは、図6の6A-6Aで示す線分に沿った断面でのハウジング組立5100とアンテナ組立500の立断面図を示したものである。
【００７８】
特に、アンテナ組立500は、ベース絶縁層160の共通する平坦な表面165上に、少なくとも部分的に配置された少なくとも一つの単一の送信機用あるいは送受信機用のアンテナ101’(図2参照)と少なくとも一つの単一の受信機用のアンテナ101”(図5参照)を含むようにしても良い。  このアンテナ101’は、コンダクター層の開始端部分104とコンダクター層の終端部分106’を有するアンテナ軌跡コンダクター102を備えている。アンテナ101”は、コンダクター層の開始端部分104’とコンダクター層の終端部分106’を備えている。
【００７９】
アンテナ組立500は、以下の点を除き、アンテナ組立400と同じである。  即ち、相違点は、アンテナ組立500は、受信機201を除外している点にある。  更に送信機用のアンテナ101’は実質的にベース絶縁層160の第一の内側領域部分162aに配置されており、一方、送信機用のアンテナ101”は実質的にベース絶縁層160の第二の内側領域部分162bに配置されている。
【００８０】
送信機用のアンテナ101’の第一のセットは、端部横断領域126’を含んでいる。  送信機用のアンテナ101”は、コンダクター層の開始端部分104’を含む第二の端部横断領域126”を含んでいる。  コンダクター層の開始端部分104’はL字状の形状を有しており、コンダクター層の開始端部分104’は、ベース絶縁層160の第二の内側領域部分162bから、ベース絶縁層160の第一の内側領域部分162aまでであって、第一の角部領域108まで伸びている。
【００８１】
図2Bに示すように、アンテナ組立500は、少なくとも部分的に、アンテナ組立500の上に配置された被覆絶縁層170を備えるようにしても良い。  更に、アンテナ組立500は、送信機の端部横断領域126’と 126”、およびアンテナ軌跡コンダクター102のような電気的に導電性を有する部材に、端部横断領域126とアンテナ軌跡コンダクター102に関連して前にも説明したように、薄いフィルム状の材料からできた薄いフィルムを適用することによって、アンテナ組立500を構成するようにしている。  同様に、アンテナ組立支持絶縁層150、ベース絶縁層160、被覆絶縁層170のような電気的に絶縁性を持った部材についても、前に説明したように、それぞれ薄いフィルム状の材料からできた薄いフィルムで構成されている。
【００８２】
図6Aは、図6の6A-6Aで示す線分に沿った断面でのハウジング組立5100とアンテナ組立500の立断面図を示したものである。 ハウジング組立4100の場合と同様に、ハウジング組立5100は、既に説明したハウジング組立1100, 1200, 1100’, 1200’, 2100, 2200と類似している。  また、その相違点は、第一、第二の送信機用のアンテナ101’と101”はベース絶縁層160の共通する平坦な表面165の上に取り付けられており、アンテナ組立500の表面面積には、ハウジング組立5100の外周5115の周りに伸びる外壁5110と第一、第二の送信機用のアンテナ101’と101”の内周5125の周りに伸びる内壁5120の両方を収納できるようになっている。  この内壁については必要であれば、省略することができる。  実施例としては、ここで説明したものに限定されるものではない。  ハウジング組立1100、1200に関連して図1に例示したように、取り付けスリーブまたは取り付けリング1011が、ハウジング組立5100の中にどのようにして配置されるかということについては、当業者であれば容易に理解できる事項である。
【００８３】
図示されてはいないが、当業者であれば、ハウジング組立1200, 1200’, あるいは2200に類似させるために、ダミーまたは詰め物としてのインシュレーション、あるいは絶縁層155、またはアンテナ組立のベース絶縁層160を使用することなしにハウジング組立4100を構成することができるということは容易に理解できる事項である。  実施例としては、ここで説明したものに限定されない。  
同様に、ハウジング組立5100を基礎構造または下地床10とフローリングまたは床カバー20の中へ設置する手順は、ハウジング組立1100, 1200, 1100’, 1200’に関連して前に説明したことと基本的には同一である。
【００８４】
当業者であれば、図2Bに示す最大全高さ寸法H2, H2’、 図3Bに示す最大全高さ寸法H3, H3’、 図3Cに示す最大全高さ寸法H4, H4’は、アンテナ組立300(図4参照)、アンテナ組立400(図5参照)にも適用することができるということは容易に理解できる事項である。  即ち、アンテナ組立300と400は、床の構造を顕著に変更したり、または床上を通行する人や通行人の往来の障害となる影響を与えることなく、下地床10とフローリングまたは床カバー20の間に設置することができる。  同様に、図1Bに示す最大全高さ寸法H1, H1’は、アンテナ組立500にも適用することができ、アンテナ組立500は、床の構造を顕著に変更したり、または床上を通行する人や通行人の往来の障害となる影響を与えることなく、下地床10とフローリングまたは床カバー20の間に設置することができる。
【００８５】
図7, 7Aは、本発明にかかる別のアンテナ組立であるアンテナ組立600aのための薄いフィルムコンダクターと、非空芯の受信機用のアンテナのために設けた内部空間を備えたハウジング組立6100を示したものである。  特に、図7は、アンテナ組立600aの平面図を示したものである。  アンテナ組立600aは第一、第二、および第三のループを持った送信機用のアンテナ軌跡コンダクター102を備えている。  そして、これらの第一、第二、および第三のループは、少なくとも部分的に、ベース絶縁層160の上に配置されている。  また、特にこれらの第一、第二、および第三のループは、少なくとも部分的に、ベース絶縁層160の共通する平坦な表面165上に配置されている。  更に、被覆絶縁層170の一つの面は、アンテナ組立600aの上であって、かつ共通する平坦な表面165の上に配置されており、内部カバー面としての役割を果たしている。  図7Aに示すように、既に述べたハウジング組立1100, 1100’, 1200, 1200’, 2100, 2200, 3100, 4100, 及び5100と同じように、ハウジング組立6100は、ハウジング組立6100の底面側蓋としてアンテナ組立支持絶縁層150を取り入れ、ハウジング組立6100の上面側蓋として被覆絶縁層170を取り入れている。  外壁6110, 内壁6120は、それぞれ外周6115、内周6125を有しており、気密シールを形成するために、ジョイント部180においてアンテナ組立支持絶縁層150と被覆絶縁層170と結合されている。  被覆絶縁層170の内部カバー面175は、共通する平坦な表面165の全体を横断して覆うようになっている。  そして、内壁6120は、共通する平坦な表面165と内部カバー面175の間の距離を表す高さ“h”を有している。  内壁6120と併せて、内部カバー面175と共通する平坦な表面165は内部空間190を形成する。  この内部空間190には、フェライトやアモルファス材料のような磁性材料が配置される。  特に、図7を参照すると、磁性材料としては、一つまたは複数の長くて薄いフェライトやアモルファスのバーのような形態をした薄いフィルム状の材料であっても良い。  そしてこの長くて薄いフェライトやアモルファスのバーは約25mm幅(約1インチ)x約610mm長さ(約24インチ)x約1.6mm厚さ(1/16インチ)の寸法を有するものでも良い。  特に、受信機のコンダクター層の開始端部分206は、ジョイント部276の位置において、薄いフィルム状の構造を持つ少なくとも一つの磁性材のバー(例えば、磁性材バー270a)に、少なくとも部分的に、コイル状に巻きつけられた長い連続ワイヤループ272に結合されており、コンダクター層の終端部分207もジョイント部278の位置において、長い連続ワイヤループ272に結合されている。  特に、ワイヤループ272は、ジョイント部276から第一の磁性材バー270aの第一の端部276aまで伸びている。  ワイヤループ272は、第一の磁性材バー270aに沿って伸びるとともに、ソレノイドと同じ方法で、第一の磁性材バー270aの周りにコイル状に巻きつけられている。 そして、ワイヤループ272は第一の磁性材バー270aの第二の端部278aまで巻きつけられる。  ワイヤループ272は、第二の端部278aから、第二の磁性材バー270bの第一の端部276bまで伸びている。  そして、ここで再びワイヤループ272は、第二の磁性材バー270bの周りにコイル状に巻きつけられ、第二の端部278bまで伸びている。  ワイヤループ272は、第二の端部278bから、第三の磁性材バー270cの第一の端部276cまで伸びている。  そして、ここで再びワイヤループ272は、第三の磁性材バー270cの周りにコイル状に巻きつけられ、第二の端部278cまで伸びている。  同様に、ワイヤループ272は、第二の端部278cから、第四の磁性材バー270dの第一の端部276dまで伸びている。  そして、ここで再びワイヤループ272は、第四の磁性材バー270dの周りにコイル状に巻きつけられ、第一の端部276dから第二の端部278dまで伸びている。 その後、ワイヤループ272は、第四の磁性材バー270dの第二の端部278dから受信機のコンダクター層の終端部分207のジョイント部278まで伸びてループを完結させている。  コンダクター層の開始端部分206とコンダクター層の終端部分207に併せて、ワイヤループ272と、コンダクター層の開始端部分206と、コンダクター層の終端部分207とは非空芯の受信機用のアンテナ組立302を形成することになる。  実質的には、非空芯の受信機用のアンテナ組立302は、図3に関連して既に説明した空芯の受信機用のアンテナ組立201に替えて配置したものである。  この場合、送信機のアンテナ組立のアンテナ軌跡コンダクター102と受信機のアンテナ組立302の間の電気的な短絡と電磁干渉(EMI)を防止するために、内部空間190は、充填絶縁材料255で充填するようにしても良い。
【００８６】
図7Aに示すように、ベース絶縁層160は、少なくとも部分的に、アンテナ組立支持絶縁層150の上に配置されている。  ダミーまたは詰め物としてのインシュレーション材料155が、完全でないならば少なくとも部分的に、ベース絶縁層160とアンテナ組立支持絶縁層150の間に配置される。  図3Aで示した方法と同じ方法で、コンダクター層の開始端部分206は、貫通接点238を通り、かつ貫通接点240を通って内部カバー面175の近傍まで上昇するようにして、送信機の巻きであるループ116, 118, 120の下を横断している。  L字状の形状を有するコンダクター層の終端部分207は、コンダクター層の終端部分207が終了する部分において、送信機の巻きであるループ116, 118, 120の下であって、かつダミーまたは詰め物としてのインシュレーション材料155の高さ位置まで降下している。  ハウジング組立1100と同様に、ハウジング組立6100は、内周6125に隣接したハウジング組立6100の中の必要な位置に配置された一連の取り付けスリーブ1011を更に含んでいる。  ここでも再び、例示として6箇所の取り付けスリーブ1011が図7に示されている。  そして、内壁6120の内周6125と内部空間190によって形成された4箇所の角部の近傍と、内周6125の両側であって、ハウジング組立6100の長手方向の中央付近に取り付けスリーブ1011が配置されている。  アンテナ組立支持絶縁層150及び/又は被覆絶縁層170を含むハウジング組立6100では、最大全高さH5’は、アンテナ組立支持絶縁層150の厚さ、アンテナ組立支持絶縁層150の上に配置されたダミーまたは詰め物としてのインシュレーション材料155の厚さ、詰め物としてのインシュレーション材料155の上に配置されたベース絶縁層160の厚さ、ベース絶縁層160の上に配置された内部空間190または送信機の巻きであるループ116, 118, 120の厚さ、および内部空間190または送信機の巻きであるループ116, 118, 120の上に配置された被覆絶縁層170の厚さによって決定される。  最大全高さH5’は、約15mmまでである。  最大全高さH5は、共通する平坦な表面165の上に配置された内部空間190の厚さ、または送信機の巻きであるループ116, 118, 120にベース絶縁層160を加えた厚さと、ダミーまたは詰め物としてのインシュレーション材料155の厚さによって決定される。  最大全高さH5の寸法は、約12mmまでである。  
図7Bに関連して、図7には、アンテナ組立600aの実施例のバリエーションを、更に示してある。  特に、全体ではないとしても少なくとも部分的にアンテナ組立600aを囲んでいるハウジング組立6200は、以下に説明する相違点を除き全ての点において、アンテナ組立600aを取り囲んでいるハウジング組立6100と同一である。  特に、ハウジング組立6200は、第一、第二、第三のループ116, 118, 120からなるアンテナ軌跡コンダクター102を備えたアンテナ組立600aを取り囲んでいる。  そして、この第一、第二、第三のループ116, 118, 120はベース絶縁層160の共通する平坦な表面165の上に配置されている。  また、ハウジング組立6200は、内部空間190に配置された非空芯の受信機用のアンテナ組立302を取り囲んでいる。  しかし、コンダクター層の終端部分207(この上にアンテナ組立支持絶縁層150’が配置されるものであるが)は、角部領域またはジョイント部分156を形成するために、上方へ曲げられた部位151によってベース絶縁層160に結合されている。  ダミーまたは詰め物としてのインシュレーション材料155は、コンダクター層の終端部分207の領域を除き、アンテナ組立600a全体にわたって省略されている。  ハウジング組立6100の取り付けスリーブ1011のように、ハウジング組立6200には、内部空間190の内周に隣接したハウジング組立6200の所要箇所に配置された一連の取り付けスリーブ1012が備えられている。  最大全高さH6は、被覆絶縁層170の厚さ、内部空間190または送信機の巻きであるループ116, 118, 120の厚さ、およびベース絶縁層160の厚さによって決定される。  最大全高さH6は、約12mmまでである。  
図7C, 7D, 及び7Eは、非空芯アンテナ組立600b用の別のハウジング組立6300を示している。  非空芯アンテナ組立600bは、図7, 7A, 7Bに関連して前に説明した非空芯アンテナ組立600aと類似している。  しかし、ベース絶縁層160の共通する平坦な表面165の上に配置された内部空間190を含むハウジング組立6100と比べてみると、ハウジング組立6300は内部空間290を備えている。  この内部空間290は、内部空間190に類似したものであり、外周295によって仕切られている。  そして、この場合、内部空間290は、送信機用のアンテナ軌跡コンダクター102の下に配置されている。  第一、第二、および第三の送信機用のループ116, 118, 120を備えたアンテナ軌跡コンダクター102は、ベース絶縁層160’の共通する平坦な表面165’の上に設置されている。  このベース絶縁層160’は第一の補助絶縁層160a、第二の補助絶縁層160c、およびこれらの補助絶縁層に挟まれた中間の補助絶縁層160bを備えている。  内部空間290の外周295は、それらの中に設けられており、内部空間290は第一の補助絶縁層160aと第二の補助絶縁層160cによって形成されている。  この内部空間290は、非空芯タイプの受信機用のアンテナ組立302を収納できるようになっている。  更に、電気的な短絡や電磁干渉(EMI)の可能性を低減させるために、内部空間290を詰め物としてのインシュレーション材料255で充填するようにしても良い。  この場合、ベース絶縁層160’の第二の補助絶縁層160cは、ダミーまたは詰め物としてのインシュレーション材料255と一緒にアンテナ組立支持絶縁層150の上に配置されている。  しかし、この場合、ワイヤループ272の開始端276’と終了端278’は、コンダクター層の開始端部分206’とコンダクター層の終端部分207’にそれぞれ結合されている。  コンダクター層の開始端部分206’とコンダクター層の終端部分207’は、コンダクター層の開始端部分206とコンダクター層の終端部分207とはそれぞれ相違するものである。  その相違点は、非空芯タイプの受信機用のアンテナ組立302は、送信機用のアンテナ軌跡コンダクター102のように共通する平坦な表面165’の上に配置されている訳ではないので、コンダクター層の開始端部分206’とコンダクター層の終端部分207’のために、送信機用のアンテナ軌跡コンダクター102の上または下を横断する部材は必要ない。  
図7, 7A, 7Cを参照すると、開始端276’は、貫通接点274と同様に、ダミーまたは詰め物としてのインシュレーション材料255の位置から第二の補助絶縁層160cを通って内部空間290まで、上がってきている。  一方、これとは逆に終了端278’は、貫通接点274と同様に、内部空間290から第二の補助絶縁層160cを通ってダミーまたは詰め物としてのインシュレーション材料255の位置まで降りてきている。  もし、必要であるならば、送信機用のアンテナ軌跡コンダクター102の第一、第二、および第三の送信機用のループ116, 118, 120の下を横断する前に、コンダクター層の開始端部分206’はベース絶縁層160’の共通する平坦な表面165’の位置から下へ降りるようにしても良い。  終了端278’は、ダミーまたは詰め物としてのインシュレーション材料255のレベルに留まるようにすることもできる。  ワイヤループ272は、開始端276’(図7参照)を介してコンダクター層の開始端部分206’に、また、終了端278’ (図7参照)を介してコンダクター層の終端部分207’に電気的に接続されている。  そして、この接続は、内部空間290とダミーまたは詰め物としてのインシュレーション材料255のレベルを結びつけることができる貫通接点274を通じて行われている。
【００８７】
図7, 7C, 7D, 7Eを参照すると、ハウジング組立6300が、ハウジング組立1100, および6100と類似の方法で構成されていることが判る。  特に、ハウジング組立6300は、アンテナ組立600bを取り囲む外壁6310と、内部空間290の内壁6320を備えている。  そしてこの内部空間290の中には、具体的には受信機用のアンテナ組立302が収納されている。  ハウジング組立6300は、外壁6310の位置においてジョイント部180によって気密シールするようにしても良い。  
ハウジング組立6100と同様に、ハウジング組立6300は、内部空間290の内周に隣接したハウジング組立6300の所要位置に配置された、一連の取り付けスリーブまたは取り付けリング1011を更に備えている。  図7には、例示として6つの取り付けスリーブ1011が示されており、これらは内部空間290と内壁6120の内側外周6125とによって形成される4つの角部周辺と、内側外周6125の両サイドであって、ハウジング組立6300の長手方向の中心位置に設けられている。
【００８８】
薄いフィルム状の材料を使用する構成とすることによって、高さH7は、ベース絶縁層160’の厚さ、即ち、第一の補助絶縁層160a、第二の補助絶縁層160c、およびこれらの補助絶縁層に挟まれた中間の補助絶縁層160bの厚さを合計した厚さによって決定される。  高さH7の寸法は、約15mmまでである。  被覆絶縁層170の厚みを含めた、最大全高さH7’は、送信機用の巻きである第一、第二、および第三のループ116, 118, 120の厚さ、ベース絶縁層160’(内部空間290を含むものである)の厚さ、及びダミーまたは詰め物としてのインシュレーション材料255の厚さによって決定され、その寸法は、約15mmまでである。  図7A, 7B, 7Cに示すように、最大全高さH5’, H6, H7’の寸法は、床の構造を顕著に変更したり、または床上を通行する人や通行人の往来の障害となる影響を与えることなく、フローリングまたは床カバー20と下地床10の間に配置できるアンテナ組立600aと600bの寸法として使用できるものである。
【００８９】
図8, 8Aは、本発明にかかる更に別のアンテナ組立であるアンテナ組立700のための薄いフィルムコンダクターと、ハウジング組立7100を示したものである。  アンテナ組立700とハウジング組立7100は、図4に関連して先に説明したアンテナ組立400とハウジング組立4100に類似している。  ただし、アンテナ組立700は、ハウジング組立の内部空間の中に収納され、受信機用の磁性材料からできた複数の非空芯アンテナ組立を含む構成であるという点において相違する。  そしてこのアンテナ組立700とハウジング組立7100は、図7, 7A, 7B, 及び7Cに関連して説明したハウジング組立6100, 6200, 6300とアンテナ組立600a, 600bと類似したものである。  また、説明を簡単にするために、図8には、アンテナ組立700を収納したハウジング組立7100を部分的に示してある。  特に、非空芯アンテナ組立700は、のベース絶縁層160の共通する平坦な表面165の上に配置された複数セットの送信機アンテナ101’(図2参照)と、受信機アンテナ402’を備えている。  このアンテナ101’は、コンダクター層の開始端部分104とコンダクター層の終端部分106’を有するアンテナ軌跡コンダクター102を備えている。
【００９０】
アンテナ組立700は、アンテナ組立400と同様、複数セットのアンテナがベース絶縁層160の上に配置されるようになっている。  特に、送信機用のアンテナ101’と受信機用のアンテナ401’からなる第一のセットは、少なくとも部分的にあるいは全体的にベース絶縁層160の共通する平坦な表面165の第一の部分162aの上に配置されている。  一方、同時に、送信機用のアンテナ101”と受信機用のアンテナ401”からなる第二のセットは、少なくとも部分的にあるいは全体的にベース絶縁層160の共通する平坦な表面165の第二の部分162bの上に配置されている。
【００９１】
送信機用のアンテナ101’と送信機用のアンテナ101”の詳細は、図5および5Aに関連して前に説明したものと同様であって、ここでの議論は、非空芯タイプの受信機用のアンテナ401’と401”、およびこれに関係する内部空間190aと190bに焦点をあてることにする。  特に、受信機用のアンテナ401’と401”のコンダクター層の開始端部分206aと206bは、ジョイント部476の位置において、長い連続したワイヤループ472と結合され、更にこのワイヤループ472はジョイント部478の位置において、受信機用のコンダクター層の終端部分207a, 207bと結合されている。  そして、この長い連続したワイヤループ472は、少なくとも一つの磁性材のバー(例えば、磁性材バー470a)の周りに少なくとも部分的にコイル状に巻きつけられている。  特に、ワイヤループ472は、ジョイント部476から第一の磁性材バー470aの第一の端部476aまで伸びている。  ワイヤループ472は、第一の磁性材バー470aの周りをコイル状に巻きつけられつつ第一の磁性材バー470aの第二の端部478aまで伸びている。  第二の端部478aから、ワイヤループ472は、第二の磁性材バー470bの第一の端部476bまで伸びている。  そして、ここでふたたび、ワイヤループ472は、第二の磁性材バー470bの周りをコイル状に巻きつけられつつ第二の磁性材バー470bの第二の端部478bまで伸びている。  ワイヤループ472は、第二の端部478bから、受信機用のコンダクター層の終端部分207a, 207bのジョイント部478まで伸びて、ループを完結させている。  
図7に関連して前に説明したのと同様に、コンダクター層の開始端部分206a、206bとコンダクター層の終端部分207a, 207bに関して、ワイヤループ472とコンダクター層の開始端部分206a、206bおよびコンダクター層の終端部分207a, 207bは、一対の非空芯タイプの受信機用のアンテナ組立402’、42”を形成している。  そして、この受信機用のアンテナ組立402’と42”は、内部空間190aと190bの各々の中で、共通する平坦な表面165の上に、少なくとも部分的に、配置されてようになっている。  ここで、非空芯タイプの受信機用のアンテナ組立402’、402”は、図5に関連して前に説明した空芯タイプの受信機用のアンテナ組立201’、201”の替わりに置き換えたようになっている。  ここでもまた、内部空間190aと190bは、送信機用のアンテナ組立102’,102”と受信機用のアンテナ組立402’、402”との間の電気的な短絡や電磁干渉(EMI)を防止するために、充填絶縁材料255で充填されている。
【００９２】
図8Aに示すように、ベース絶縁層160は、少なくとも部分的に、アンテナ組立支持絶縁層150の上に配置するようにしても良い。  ダミーまたは詰め物としてのインシュレーション材料155は、ベース絶縁層160とアンテナ組立支持絶縁層150の間に配置しても良い。  図7Aと同様に、コンダクター層の開始端部分206aと206bは、貫通接点238を通り、送信機用の巻きであるループ116, 118, 120の下を横断し、貫通接点240を通って内部カバー面175の付近の位置まで上昇している。  L字状の形状を有するコンダクター層の終端部分207a, 207bは、送信機用の巻きであるループ116, 118, 120の下まで下降し、ダミーまたは詰め物としてのインシュレーション材料155の位置のレベルまで下降するようになっている。  そして、コンダクター層の終端部分207a, 207bは、この位置で終了している。  
図7と7Aに関連して前に説明したハウジング組立6100とアンテナ組立600aと同様に、ハウジング組立7100が、アンテナ組立支持絶縁層150及び/又は被覆絶縁層170を含む場合には、最大全高さH5’と類似する最大全高さH8’は、アンテナ組立支持絶縁層150の厚さと、アンテナ組立支持絶縁層150の上に配置されたダミーまたは詰め物としてのインシュレーション材料155の厚さと、インシュレーション材料155の上に配置されたベース絶縁層160の厚さと、内部空間190a及び/又は190b又はベース絶縁層160の上に配置された送信機用の巻きであるループ116, 118, 120の厚さ、及び内部空間190a又は送信機用のループ116, 118, 120の上に配置された被覆絶縁層170の厚さによって決定される。  最大全高さH8’の寸法は、約15mmまでである。  高さH8は、アンテナ組立600aを描いた図7, 7Aに関連して前に説明した高さH5と類似する。  そして高さH8は、共通する平坦な表面165の上に配置された内部空間190a及び/又は190b又は送信機用の巻きであるループ116, 118, 120の厚さプラスベース絶縁層160の厚さと、ダミーまたは詰め物としてのインシュレーション材料155の厚さによって決定される。  高さH8の寸法は、約12mmまでである。
【００９３】
ハウジング組立4100と同様に、ハウジング組立7100は、内周6125に隣接したハウジング組立7100の必要な位置に配置された一連の取り付けスリーブ1011を備えている。  ここでも再び、例示として6箇所の取り付けスリーブ1011が図7に示されている。  そして、内部空間190aと190bに形成される最も外側の二つの角部近傍と、共通する平坦な表面165の第一と第二の内側領域部分162a, および162bの間にある領域164に取り付けスリーブ1011が配置されている。  ここで、領域164は第一の送信機用のアンテナ101’と第二の送信機用のアンテナ101”を分離するための領域である。  このハウジング組立の設置方法は、ハウジング組立1100, 1200, 1100’, 1200’に関連して前に説明した方法と基本的には同じである。  
図示はしていないが、ハウジング組立7100は、ハウジング組立1200, 1200’や2200と同じようにするために、ダミーまたは詰め物としてのインシュレーション材料155やベース絶縁層160を使用しないで構成することも可能であることは、当業者であれば容易に理解できる事項である。
【００９４】
同様に、基礎構造や下地床10とフローリングや床カバー20のようなカバー類の中へハウジング組立7100を設置する方法は、ハウジング組立1100, 1200, 1100’, および1200’に関連して前に説明した方法と基本的には同じである。
【００９５】
ここまでの議論からも理解できる事項であるが、ハウジング組立1100, 1100’, 1200, 1200’, 2100, 2200, 3100, 4100, 5100, 6100, 6200, 6300, および7100は、アンテナ組立100a, 100b, 100a’, 100b’, 200a, 200b, 300, 400, 500, 600, および700の送信機用および受信機用のコイル102と202を他の要素から密閉し、シールする構成にできる機械的な構造となっている。  そのため、これらのアンテナ組立は埋設に適したアンテナ組立ユニットに変更することができる。  コイル(アンテナ軌跡コンダクター)102は、アンテナ組立ユニットの中へ取り付けたり、あるいは挿入するようにしても良い。  コイル(アンテナ軌跡コンダクター)102、202(又は202aあるいは202b)は、導電性印刷、銅テープ、銅ワイヤ、またはその他の適切な電気導電性を有する材料で構成することができる。  前にも述べたように、ハウジング組立およびアンテナ組立ユニットの全体を下地床やその他の場所に固定するような構成とすることができる。  そして、そのためにアンテナ組立ユニットを使用することが意図される。  ハウジング組立およびアンテナ組立ユニットの穴またはポートは下地床を有する上部床に接触するようにするために、シーリング材(薄い凝固剤、樹脂性接着剤、あるいはその他の適切な材料)を使用して設置するようにしても良い。
【００９６】
送信機用のアンテナ軌跡コンダクター102のコイル配列は、直列と並列の組合せ、または直列の共振方法(これに限定するものではない)に基づいて駆動するようにしても良い。受信機用のアンテナ軌跡コンダクター202(又は202aか202b)の分離した配列は、応答特性に対するリングダウン信号を分析する手法によって解明することができるが、これに限定されるものではない。  実施例としては、これらに限定されるものではない。  
前にも述べたことではあるが、送信機用のアンテナ101又は101’のコンダクター層の開始端部分としてのコンダクター層の端部分104の記号と、送信機用のアンテナ101又は101’のコンダクター層の終端部分としてのコンダクター層の端部分106とコンダクター層の端部分106’の記号とは、記載上の便宜から任意に選択できるものである。  即ち、コンダクター層の端部分104は、コンダクター層の終端部分として、そしてコンダクター層の端部分106と106’は、コンダクター層の開始端部分として記載することもできる。
【００９７】
同様に、受信機用のアンテナ201(図3および5を参照), 202a, 又は202b(図4参照)のコンダクター層の開始端部分としてのコンダクター層の端部分206の記号と、受信機用のアンテナ201, 202a, 又は202bのコンダクター層の終端部分としてのコンダクター層の端部分207, 207a, 又は207bの記号とは、記載上の便宜から任意に選択できるものである。  即ち、コンダクター層の端部分206は、コンダクター層の終端部分として、そしてコンダクター層の端部分207, 207a, 又は207bは、コンダクター層の開始端部分として記載することもできる。
【００９８】
送信機用のアンテナ101又は101’のコンダクター層の開始端部分104と、送信機用のアンテナ101又は101’のコンダクター層の終端部分106, 106’とは、運転中、送信機の入力制御装置(図示せず)に電気的に結合される。  同様に、受信機用のアンテナ201, 202a, 又は202bのコンダクター層の開始端部分206と、受信機用のアンテナ201, 202a, 又は202bのコンダクター層の終端部分207, 207a, 又は207bとは、運転中、受信機の入力制御装置(図示せず)に電気的に結合される。
【００９９】
前に述べた、受信機用のアンテナ201, 202a, 又は202bのコンダクター層の開始端部分としてのコンダクター層の端部分206の記号と、受信機用のアンテナ201, 202a, 又は202b(あるいは、その非空芯タイプのアンテナ組立600a, 600b, 又は700)のコンダクター層の終端部分としてのコンダクター層の端部分207の記号とに関連する、送信機用のアンテナ101又は101’のコンダクター層の開始端部分としてのコンダクター層の端部分104の記号と、送信機用のアンテナ101又は101’のコンダクター層の終端部分としてのコンダクター層の端部分106とコンダクター層の端部分106’の記号とは、送信機用のアンテナ101又は101’と受信機用の空芯アンテナ201, 202a, 又は202b(あるいは、その非空芯タイプのアンテナ組立600a, 600b, 又は700)の間における、特に適切なアンテナ組立100, 100’, 200aと200b, 300, 400, 500, 600aと600b, 700の運転中の位相角のシフトを追跡することができるようになっている。
【０１００】
本発明の実施例では、床に掘り込みを設けなければならないような大きい(厚い)アンテナを使用した周知技術と対比しつつ、下地床の掘り込みを必要としない「薄いフィルム」を使用したアンテナについて説明してきた。
【０１０１】
更に、本発明に係る薄いフィルムを使ったアンテナ組立とハウジング組立の実施例では、EASまたはRFIDシステムに適用できるものとして説明してきたが、当業者であれば、ここで述べたような実施例は、EASまたはRFIDラベルやタグを利用した、あるいはEASまたはRFIDラベルやタグを利用しない電気的な通信システムや、監視システム、旅客輸送ターミナルやビルディングに応用されるセキュリティや通信、あるいは産業上、警察、政府、テロ防止等のセキュリティまたは通信等に適用することができることは容易に理解できる事項である。  
本発明の実施例の技術的特徴についてここで説明してきたが、当業者であれば、多くの改良、置き換え、変更が可能である。  従って、特許請求の範囲に記載された発明は、本発明の実施例で示した発明の技術的思想に含まれることになる全ての改良や変更をカバーするものであることを理解しなければならない。
【図１】
2010500820.tif 000003
【図１Ａ】
2010500820.tif 000004
【図１Ｂ】
2010500820.tif 000005
【図１Ｃ】
2010500820.tif 000006
【図２】
2010500820.tif 000007
【図２Ａ】
2010500820.tif 000008
【図２Ｂ】
2010500820.tif 000009
【図２Ｃ】
2010500820.tif 000010
【図３】
2010500820.tif 000011
【図３Ａ】
2010500820.tif 000012
【図３Ｂ】
2010500820.tif 000013
【図３Ｃ】
2010500820.tif 000014
【図３Ｄ】
2010500820.tif 000015
【図４】
2010500820.tif 000016
【図４Ａ】
2010500820.tif 000017
【図５】
2010500820.tif 000018
【図５Ａ】
2010500820.tif 000019
【図６】
2010500820.tif 000020
【図６Ａ】
2010500820.tif 000021
【図７】
2010500820.tif 000022
【図７Ａ】
2010500820.tif 000023
【図７Ｂ】
2010500820.tif 000024
【図７Ｃ】
2010500820.tif 000025
【図７Ｄ】
2010500820.tif 000026
【図７Ｅ】
2010500820.tif 000027
【図８】
2010500820.tif 000028
【図８Ａ】
2010500820.tif 000029
【国際調査報告】
2010500820.tif 000030
2010500820.tif 000031
2010500820.tif 000032